(57)【特許請求の範囲】
【請求項１】
第１の分散ユニット（ＤＵ）ノードおよび第２の分散ユニット（ＤＵ）ノードと結合された集約ユニット（ＣＵ）ノード（１２００）を動作させる方法であって、前記方法は、
前記第１のＤＵノードとモバイル通信デバイス（ＵＥ）との間の第１の無線リンク上での、前記第１のＤＵノードを通した、前記ＣＵノードと前記モバイル通信デバイスとの間の通信を提供すること（１５０１）と、
前記ＣＵノードにおいて、前記第１のＤＵノードから、前記第１の無線リンクが一時的に利用不能であることを前記ＣＵノードに通知するためのメッセージを受信すること（１５０３）と、
前記第１の無線リンクが一時的に利用不能であるという前記メッセージを受信したことに応答して、前記第１のＤＵノードを通した、前記ＣＵノードと前記モバイル通信デバイスとの間の通信を中断すること（１５０５）であって、前記第１のＤＵノードを通した、前記ＣＵノードと前記モバイル通信デバイスとの間の通信を中断する間、前記第１の無線リンクを使用して前記モバイル通信デバイスをサーブするための前記第１のＤＵノードの設定が維持される、通信を中断すること（１５０５）と、
前記第１のＤＵノードを通した、前記ＣＵノードと前記モバイル通信デバイスとの間の通信を中断する間、前記第２のＤＵノードと前記モバイル通信デバイスとの間の第２の無線リンク上での、前記第２のＤＵノードを通した、前記ＣＵノードと前記モバイル通信デバイスとの間の通信を提供すること（１５０７）と
を含む、方法。
【請求項２】
前記メッセージを受信したことに応答して、前記第１のＤＵノードに以前提供され、前記モバイル通信デバイスに配信されなかった、パケットデータユニット（ＰＤＵ）を識別することと、
前記メッセージを受信したことに応答して、前記以前提供されたＰＤＵを、前記第２のＤＵノードと前記モバイル通信デバイスとの間の第２の無線リンク上で前記モバイル通信デバイスに送信するように前記第２のＤＵノードに命令することと
をさらに含む、請求項１に記載の方法。
【請求項３】
前記第２のＤＵノードを通して前記モバイル通信デバイスからステータス報告を受信することであって、前記ステータス報告が、前記モバイル通信デバイスによって正常に受信されたパケットデータユニット（ＰＤＵ）を識別する、ステータス報告を受信することと、
前記ステータス報告に応答して、前記第２のＤＵノードを通して前記モバイル通信デバイスに再送信されるべきである、前記第１のＤＵノードに以前提供されたＰＤＵを識別することと、
再送信されるべきである前記ＰＤＵを識別したことに応答して、前記第２の無線リンク上で、前記第２のＤＵノードを通して前記ＰＤＵを前記モバイル通信デバイスに再送信することと
をさらに含む、請求項１に記載の方法。
【請求項４】
前記第１のＤＵノードを通した通信を中断した後に、前記第１のＤＵノードと前記モバイル通信デバイスとの間の前記第１の無線リンクが利用可能であると決定したことに応答して、前記第１の無線リンク上での、前記第１のＤＵノードを通した、前記ＣＵノードと前記モバイル通信デバイスとの間の通信を再開すること（１５１１）
をさらに含む、請求項１から３のいずれか一項に記載の方法。
【請求項５】
前記ＣＵノードにおいて、前記第１のＤＵノードから、前記第１の無線リンクが利用可能であることを前記ＣＵノードに通知するためのメッセージを受信すること（１５０９）
をさらに含み、前記第１の無線リンクが利用可能であると決定することは、前記第１の無線リンクが利用可能であるという前記メッセージに応答して、前記第１の無線リンクが利用可能であると決定することを含む、請求項４に記載の方法。
【請求項６】
第１の分散ユニット（ＤＵ）ノード（１１００）を動作させる方法であって、集約ユニット（ＣＵ）ノードが、前記第１のＤＵノードおよび第２の分散ユニット（ＤＵ）ノードと結合され、前記方法は、
前記第１のＤＵノードとモバイル通信デバイス（ＵＥ）との間の第１の無線リンクを使用した、前記第１のＤＵノードを通した、前記ＣＵノードと前記モバイル通信デバイスとの間の通信を提供すること（１２０１）と、
前記ＣＵノードと前記モバイル通信デバイスとの間の通信を提供するために、前記第１のＤＵノードによって使用される前記第１の無線リンクの状態を監視すること（１２０３）と、
前記監視することに基づいて、前記第１の無線リンクが一時的に利用不能であると決定したことに応答して、前記第１の無線リンクが一時的に利用不能であることを前記ＣＵノードに通知するためのメッセージを前記ＣＵノードに送信すること（１２０７）と、
前記メッセージを送信した後に、前記ＣＵノードから受信された命令に応答して、前記第１のＤＵノードを通した、前記ＣＵノードと前記モバイル通信デバイスとの間の通信を中断すること（１２１１）であって、前記第１のＤＵノードを通した、前記ＣＵノードと前記モバイル通信デバイスとの間の通信を中断する間、前記第１の無線リンクを使用して前記モバイル通信デバイスをサーブするための前記第１のＤＵノードの設定が維持される、通信を中断すること（１２１１）と
を含む、方法。
【請求項７】
前記メッセージを送信した後に、前記第１のＤＵノードを通した、前記ＣＵノードと前記モバイル通信デバイスとの間の通信を中断する間、前記第１のＤＵノードと前記モバイル通信デバイスとの間の前記第１の無線リンクの状態を監視すること（１２１５）と、
前記第１の無線リンク上の改善された状態を検出したことに応答して、前記第１の無線リンクが利用可能であることを前記ＣＵノードに通知するためのメッセージを前記ＣＵノードに送信すること（１２１９）と
をさらに含む、請求項６に記載の方法。
【請求項８】
無線アクセスネットワークの集約ユニット（ＣＵ）ノード（１２００）であって、前記ＣＵノードが、
ネットワーク上で第１の分散ユニット（ＤＵ）ノードおよび第２の分散ユニット（ＤＵ）ノードとの通信を提供するように設定されたネットワークインターフェース（１２７１）と、
前記ネットワークインターフェースと結合されたプロセッサ（１２７３）と
を備え、前記プロセッサが、前記ネットワークインターフェースを通した、第１の分散ユニット（ＤＵ）ノードおよび第２の分散ユニット（ＤＵ）ノードとの通信を提供するように設定され、前記プロセッサは、
前記第１のＤＵノードとモバイル通信デバイス（ＵＥ）との間の第１の無線リンク上での、前記第１のＤＵノードを通した、前記ＣＵノードと前記モバイル通信デバイスとの間の通信を提供することと、
前記ＣＵノードにおいて、前記第１のＤＵノードから、前記第１の無線リンクが一時的に利用不能であることを前記ＣＵノードに通知するためのメッセージを受信することと、
前記第１の無線リンクが一時的に利用不能であるという前記メッセージを受信したことに応答して、前記第１のＤＵノードを通した、前記ＣＵノードと前記モバイル通信デバイスとの間の通信を中断することであって、前記第１のＤＵノードを通した、前記ＣＵノードと前記モバイル通信デバイスとの間の通信を中断する間、前記第１の無線リンクを使用して前記モバイル通信デバイスをサーブするための前記第１のＤＵノードの設定が維持される、通信を中断することと、
前記第１のＤＵノードを通した、前記ＣＵノードと前記モバイル通信デバイスとの間の通信を中断する間、前記第２のＤＵノードと前記モバイル通信デバイスとの間の第２の無線リンク上での、前記第２のＤＵノードを通した、前記ＣＵノードと前記モバイル通信デバイスとの間の通信を提供することと
を行うようにさらに設定された、
集約ユニット（ＣＵ）ノード（１２００）。
【請求項９】
前記第１の無線リンクを使用して前記モバイル通信デバイスをサーブするための前記第１のＤＵノードの前記設定を維持することが、前記第１のＤＵノードを通した、前記ＣＵノードと前記モバイル通信デバイスとの間の通信を中断する間、媒体アクセス制御（ＭＡＣ）設定、無線リンク制御（ＲＬＣ）設定、レイヤ１（Ｌ１）設定、および／またはレイヤ２（Ｌ２）設定のうちの少なくとも１つを維持することを含む、請求項８に記載の集約ユニット（ＣＵ）ノード。
【請求項１０】
前記プロセッサが、
前記メッセージを受信したことに応答して、前記第１のＤＵノードに以前提供され、前記モバイル通信デバイスに配信されなかった、パケットデータユニット（ＰＤＵ）を識別することと、
前記メッセージを受信したことに応答して、前記以前提供されたＰＤＵを、前記第２のＤＵノードと前記モバイル通信デバイスとの間の第２の無線リンク上で前記モバイル通信デバイスに送信するように前記第２のＤＵノードに命令することと
を行うようにさらに設定された、請求項８または９に記載の集約ユニット（ＣＵ）ノード。
【請求項１１】
前記プロセッサは、
前記第２のＤＵノードを通して前記モバイル通信デバイスからステータス報告を受信することであって、前記ステータス報告が、前記モバイル通信デバイスによって正常に受信されたパケットデータユニット（ＰＤＵ）を識別する、ステータス報告を受信することと、
前記ステータス報告に応答して、前記第２のＤＵノードを通して前記モバイル通信デバイスに再送信されるべきである、前記第１のＤＵノードに以前提供されたＰＤＵを識別することと、
再送信されるべきである前記ＰＤＵを識別したことに応答して、前記第２の無線リンク上で、前記第２のＤＵノードを通して前記ＰＤＵを前記モバイル通信デバイスに再送信することと
を行うようにさらに設定された、請求項８または９に記載の集約ユニット（ＣＵ）ノード。
【請求項１２】
前記プロセッサは、
前記メッセージを受信したことに応答して、前記モバイル通信デバイスによって受信されなかったパケットデータユニット（ＰＤＵ）の数を決定することと、
受信されなかったＰＤＵの前記数に応答して、前記第１の無線リンクが一時的に利用不能であると決定するために使用される基準を修正するように前記第１のＤＵノードに命令することと
を行うようにさらに設定された、請求項８から１１のいずれか一項に記載の集約ユニット（ＣＵ）ノード。
【請求項１３】
前記プロセッサは、
前記第１のＤＵノードを通した通信を中断した後に、前記第１のＤＵノードと前記モバイル通信デバイスとの間の前記第１の無線リンクが利用可能であると決定したことに応答して、前記第１の無線リンク上での、前記第１のＤＵノードを通した、前記ＣＵノードと前記モバイル通信デバイスとの間の通信を再開すること
を行うようにさらに設定された、請求項８から１２のいずれか一項に記載の集約ユニット（ＣＵ）ノード。
【請求項１４】
前記プロセッサは、
前記ＣＵノードにおいて、前記第１のＤＵノードから、前記第１の無線リンクが利用可能であることを前記ＣＵノードに通知するためのメッセージを受信すること
を行うようにさらに設定され、前記第１の無線リンクが利用可能であると決定することは、前記第１の無線リンクが利用可能であるという前記メッセージに応答して、前記第１の無線リンクが利用可能であると決定することを含む、請求項１３に記載の集約ユニット（ＣＵ）ノード。
【請求項１５】
無線アクセスネットワークの第１の分散ユニット（ＤＵ）ノード（１１００）であって、前記第１のＤＵノードが、
ネットワーク上で集約ユニット（ＣＵ）ノードとの通信を提供するように設定されたネットワークインターフェース（１１０５）と、
無線インターフェースを介して無線通信を提供するように設定されたトランシーバ（１１０１）と、
前記ネットワークインターフェースおよび前記トランシーバと結合されたプロセッサ（１１０３）と
を備え、前記プロセッサが、前記ネットワークインターフェースを通した、集約ユニット（ＣＵ）ノードとの通信を提供するように設定され、前記プロセッサが、前記トランシーバを通した、モバイル通信デバイスとの通信を提供するように設定され、前記プロセッサは、
前記第１のＤＵノードとモバイル通信デバイス（ＵＥ）との間の第１の無線リンクを使用した、前記第１のＤＵノードを通した、前記ＣＵノードと前記モバイル通信デバイスとの間の通信を提供することと、
前記ＣＵノードと前記モバイル通信デバイスとの間の通信を提供するために、前記第１のＤＵノードによって使用される前記第１の無線リンクの状態を監視することと、
前記監視することに基づいて、前記第１の無線リンクが一時的に利用不能であると決定したことに応答して、前記第１の無線リンクが一時的に利用不能であることを前記ＣＵノードに通知するためのメッセージを前記ＣＵノードに送信することと、
前記メッセージを送信した後に、前記ＣＵノードから受信された命令に応答して、前記第１のＤＵノードを通した、前記ＣＵノードと前記モバイル通信デバイスとの間の通信を中断することであって、前記第１のＤＵノードを通した、前記ＣＵノードと前記モバイル通信デバイスとの間の通信を中断する間、前記第１の無線リンクを使用して前記モバイル通信デバイスをサーブするための前記第１のＤＵノードの設定が維持される、通信を中断することと
を行うようにさらに設定された、第１の分散ユニット（ＤＵ）ノード（１１００）。
【請求項１６】
前記第１の無線リンクを使用して前記モバイル通信デバイスをサーブするための前記第１のＤＵノードの前記設定を維持することが、前記第１のＤＵノードを通した、前記ＣＵノードと前記モバイル通信デバイスとの間の通信を中断する間、媒体アクセス制御（ＭＡＣ）設定、無線リンク制御（ＲＬＣ）設定、レイヤ１（Ｌ１）設定、および／またはレイヤ２（Ｌ２）設定のうちの少なくとも１つを維持することを含む、請求項１５に記載の第１の分散ユニット（ＤＵ）ノード。
【請求項１７】
前記プロセッサは、
前記監視することに基づいて、前記第１の無線リンクが一時的に利用不能であると決定したことに応答して、前記第１の無線リンク上で前記モバイル通信デバイスに送信されなかったプロトコルデータユニット（ＰＤＵ）を識別する、および／または前記第１の無線リンク上で前記モバイル通信デバイスに送信されたＰＤＵを識別する情報を前記ＣＵノードに送信すること
を行うようにさらに設定された、請求項１５または１６に記載の第１の分散ユニット（ＤＵ）ノード。
【請求項１８】
前記プロセッサは、
前記第１の無線リンクが一時的に利用不能であるという前記メッセージを送信した後に、前記ＣＵノードから、前記モバイル通信デバイスのための無線リンク制御（ＲＬＣ）バッファをフラッシュするようにとの命令を受信することと、
前記命令を受信したことに応答して、前記モバイル通信デバイスのための前記ＲＬＣバッファをフラッシュすることと
を行うようにさらに設定された、請求項１５から１７のいずれか一項に記載の第１の分散ユニット（ＤＵ）ノード。
【請求項１９】
前記プロセッサは、
前記メッセージを送信した後に、前記第１のＤＵノードを通した、前記ＣＵノードと前記モバイル通信デバイスとの間の通信を中断する間、前記第１のＤＵノードと前記モバイル通信デバイスとの間の前記第１の無線リンクの状態を監視することと、
前記第１の無線リンク上の改善された状態を検出したことに応答して、前記第１の無線リンクが利用可能であることを前記ＣＵノードに通知するためのメッセージを前記ＣＵノードに送信することと
を行うようにさらに設定された、請求項１５から１８のいずれか一項に記載の第１の分散ユニット（ＤＵ）ノード。
【請求項２０】
前記プロセッサが、
前記第１のＤＵノードを通した、前記ＣＵノードと前記モバイル通信デバイスとの間の通信を中断する間、前記第１の無線リンクが一時的に利用不能であるという前記メッセージを送信した後に、前記モバイル通信デバイスのための前記第１のＤＵノードのバッファ中のパケットデータユニット（ＰＤＵ）を維持すること
を行うようにさらに設定され、通信を中断する間に監視することが、前記モバイル通信デバイスのための前記バッファからの前記ＰＤＵのうちの１つを送信することと、前記バッファからの前記ＰＤＵのうちの前記１つを正常送信したことに応答して、前記第１の無線リンク上の改善された状態を検出することとを含む、請求項１９に記載の第１の分散ユニット（ＤＵ）ノード。
【請求項２１】
前記プロセッサは、
前記第１の無線リンクが利用可能であるという前記メッセージを送信した後に、前記第１の無線リンクを使用した、前記第１のＤＵノードを通した、前記ＣＵノードと前記モバイル通信デバイスとの間の通信を提供することを再開すること
を行うようにさらに設定された、請求項１９または２０に記載の第１の分散ユニット（ＤＵ）ノード。
【請求項２２】
前記プロセッサは、
前記第１の無線リンクが一時的に利用不能であると決定したことに応答して、前記モバイル通信デバイスのための前記第１のＤＵノードのバッファ中の保留中のパケットデータユニット（ＰＤＵ）を廃棄すること
を行うようにさらに設定された、請求項１５から１９のいずれか一項に記載の第１の分散ユニット（ＤＵ）ノード。
【請求項２３】
前記プロセッサは、
前記ＣＵノードからの命令に応答して、前記第１の無線リンクが一時的に利用不能であると決定するために使用される基準を修正すること
を行うようにさらに設定された、請求項１５から２２のいずれか一項に記載の第１の分散ユニット（ＤＵ）ノード。
【発明の詳細な説明】
【技術分野】
【０００１】
本開示は、一般に、通信の分野に関し、より詳細には、無線ネットワーク通信を提供する方法およびノードに関する。
【背景技術】
【０００２】
エボルブドパケットシステム（ＥＰＳ）は、エボルブド３ＧＰＰパケット交換ドメインであり、エボルブドパケットコア（ＥＰＣ）と拡張ユニバーサル地上無線アクセスネットワーク（Ｅ−ＵＴＲＡＮ）とを含む。
【０００３】
図１は、ＥＰＣアーキテクチャの概観である。このアーキテクチャは３ＧＰＰ  ＴＳ  ２３．４０１において規定されており、これは、ＰＧＷ（ＰＤＮゲートウェイ）、ＳＧＷ（サービングゲートウェイ）、ＰＣＲＦ（ポリシーおよび課金ルール機能）、ＭＭＥ（モビリティ管理エンティティ）、およびモバイルデバイス（ＵＥ）の規定を与える。ＬＴＥ無線アクセス、Ｅ−ＵＴＲＡＮは、（基地局とも呼ばれる）もう１つのｅＮＢを含む。図１は、３ＧＰＰアクセスのための非ローミングＥＰＣアーキテクチャを例示する。
【０００４】
図２は、Ｅ−ＵＴＲＡＮアーキテクチャ全体を示し、たとえば、３ＧＰＰ  ＴＳ  ３６．３００においてさらに規定されている。Ｅ−ＵＴＲＡＮは、ＵＥに対してＥ−ＵＴＲＡユーザプレーン（ＰＤＣＰ／ＲＬＣ／ＭＡＣ／ＰＨＹ）プロトコル終端と制御プレーン（ユーザプレーンプロトコルに加えてＲＲＣ）プロトコル終端とを与えるｅＮＢを含む。ｅＮＢはＸ２インターフェースによって互いに相互接続される。ｅＮＢはまた、Ｓ１インターフェースによってＥＰＣ（エボルブドパケットコア）に、より詳細には、Ｓ１−ＭＭＥインターフェースによってＭＭＥ（モビリティ管理エンティティ）に、およびＳ１−Ｕインターフェースによってサービングゲートウェイ（Ｓ−ＧＷ）に接続される。
【０００５】
ＥＰＣ制御プレーン（ＣＰ）アーキテクチャおよびユーザプレーン（ＵＰ）アーキテクチャの部分が、図３および図４に示されている。図３は、ＥＰＣ制御プレーンプロトコルアーキテクチャを例示し、図４は、ＥＰＣユーザプレーンプロトコルアーキテクチャを例示する。
【０００６】
ＬＴＥデュアルコネクティビティは、同時に複数のキャリア上でデータを送り受信するために、複数のキャリアに接続するＵＥをサポートするために３ＧＰＰ  Ｒｅｌ−１２において規格化されたソリューションである。以下は概観説明であり、さらなる詳細は、３ＧＰＰ  ＴＳ  ３６．３００において見つけられ得る。
【０００７】
Ｅ−ＵＴＲＡＮはデュアルコネクティビティ（ＤＣ）動作をサポートし、それにより、ＲＲＣ＿ＣＯＮＮＥＣＴＥＤにあるマルチプルＲｘ／Ｔｘ  ＵＥが、Ｘ２インターフェース上で理想的でないバックホールを介して接続された２つのｅＮＢ中にある２つの別個のスケジューラによって与えられる無線リソースを利用するように設定される（ＴＲ３６．８４２およびＴＲ３６．９３２参照）。前のセクションにおいて指定され、図２に図示されている、Ｅ−ＵＴＲＡＮアーキテクチャ全体は、ＤＣにも適用可能である。あるＵＥのためのＤＣに関与するｅＮＢは、２つの異なる役割を担うことがあり、すなわち、ｅＮＢがＭｅＮＢ（マスタｅＮＢ）として働くか、またはＳｅＮＢ（セカンダリｅＮＢ）として働くかのいずれかであり得る。ＤＣでは、ＵＥは、１つのＭｅＮＢと１つのＳｅＮＢとに接続される。
【０００８】
ＤＣでは、特定のベアラが使用する無線プロトコルアーキテクチャは、ベアラがどのようにセットアップされるかに依存する。３つのベアラタイプ、すなわち、ＭＣＧ（マスタセルグループ）ベアラ、ＳＣＧ（セカンダリセルグループ）ベアラおよび分離ベアラが存在する。それらの３つのベアラタイプは図５に例示され、図５は、デュアルコネクティビティのための無線プロトコルアーキテクチャを例示する。ＲＲＣは、ＭｅＮＢ中にあり、ＳＲＢ（シグナリング無線ベアラ）は、常にＭＣＧベアラタイプとして設定され、それゆえ、ＭｅＮＢの無線リソースのみを使用する。ＤＣはまた、ＳｅＮＢによって与えられる無線リソースを使用するように設定された少なくとも１つのベアラを有するものとして説明され得ることに留意されたい。
【０００９】
ＤＣのためのｅＮＢ間制御プレーンシグナリングが、Ｘ２インターフェースシグナリングによって実施される。ＭＭＥに対する制御プレーンシグナリングが、Ｓ１インターフェースシグナリングによって実施される。
【００１０】
ＭｅＮＢとＭＭＥとの間にＤＣ  ＵＥごとに１つのＳ１−ＭＭＥ接続のみがある。各ｅＮＢは、独立してＵＥをハンドリングすることが可能であるべきであり、すなわち、いくつかのＵＥにＰＣｅｌｌを与え、他のＵＥにＳＣＧのための（１つまたは複数の）ＳＣｅｌｌを与える。あるＵＥについてのＤＣに関与する各ｅＮＢは、その無線リソースを制御し、主に、そのセルの無線リソースを割り当てる役目を果たす。ＭｅＮＢとＳｅＮＢとの間のそれぞれの協調が、Ｘ２インターフェースシグナリングによって実施される。
【００１１】
図６は、あるＵＥについてのＤＣに関与するｅＮＢのＣプレーンコネクティビティを示し、Ｓ１−ＭＭＥはＭｅＮＢにおいて終端され、ＭｅＮＢとＳｅＮＢとは、Ｘ２−Ｃを介して相互接続される。図６は、デュアルコネクティビティに関与するｅＮＢのＣプレーンコネクティビティを例示する。
【００１２】
デュアルコネクティビティの場合、２つの異なるユーザプレーンアーキテクチャ、すなわち、Ｓ１−ＵがＭｅＮＢにおいて終端するにすぎず、ユーザプレーンデータがＸ２−Ｕを使用してＭｅＮＢからＳｅＮＢに転送されるアーキテクチャと、Ｓ１−ＵがＳｅＮＢにおいて終端することができる第２のアーキテクチャとが可能にされる。図７は、あるＵＥについてのＤＣに関与するｅＮＢの異なるＵプレーンコネクティビティオプションを例示する。異なるユーザプレーンアーキテクチャを用いて、異なるベアラオプションが設定され得る。Ｕプレーンコネクティビティが、設定されるベアラオプションに依存する。
・ＭＣＧベアラの場合、Ｓ−ＧＷへの対応する（１つまたは複数の）ベアラのためのＳ１−Ｕ接続がＭｅＮＢにおいて終端される。ＳｅＮＢは、Ｕｕ上でのこのタイプの（１つまたは複数の）ベアラのためのユーザプレーンデータのトランスポートに関与しない。
・分離ベアラの場合、Ｓ−ＧＷへのＳ１−Ｕ接続がＭｅＮＢにおいて終端される。ＰＤＣＰデータが、Ｘ２−Ｕを介してＭｅＮＢとＳｅＮＢとの間で転送される。ＳｅＮＢおよびＭｅＮＢは、Ｕｕ上でこのベアラタイプのデータを送信することに関与する。
・ＳＣＧベアラの場合、ＳｅＮＢは、Ｓ１−Ｕを介してＳ−ＧＷと直接接続される。ＭｅＮＢは、Ｕｕ上でのこのタイプの（１つまたは複数の）ベアラのためのユーザプレーンデータのトランスポートに関与しない。
【００１３】
図７は、デュアルコネクティビティに関与するｅＮＢのＵプレーンコネクティビティを例示する。ＭＣＧベアラおよび分離ベアラのみが設定される場合、ＳｅＮＢにおいてＳ１−Ｕ終端がないことに留意されたい。
【００１４】
ＳｅＮＢ追加プロシージャは、ＭｅＮＢによって始動され、ＳｅＮＢからＵＥに無線リソースを与えるためにＳｅＮＢにおいてＵＥコンテキストを確立するために使用される。このプロシージャは、ＳＣＧの少なくとも第１のセル（ＰＳＣｅｌｌ）を追加するために使用される。図８は、ＳｅＮＢ追加プロシージャを示す。
【００１５】
ｅＮＢとＵＥとの間の変動する無線チャネル品質により、データトラフィックの一時的中断が発生し得る。したがって、そのような一時的中断に適応するための方法に対する需要が存在し続ける。
【発明の概要】
【００１６】
発明的概念のいくつかの実施形態によれば、第１の分散ユニット（ＤＵ）ノードおよび第２の分散ユニット（ＤＵ）ノードと結合された集約ユニット（ＣＮ）ノードを動作させるための方法が提供され得る。本方法は、第１のＤＵノードとモバイル通信デバイスとの間の第１の無線リンク上での、第１のＤＵノードを通した、ＣＵノードとモバイル通信デバイスとの間の通信を提供することを含み得る。ＣＵノードにおいて、第１のＤＵノードから、無線リンクが一時的に利用不能であることをＣＵノードに通知するためのメッセージが受信され得る。第１の無線リンクが一時的に利用不能であるというメッセージを受信したことに応答して、第１のＤＵノードを通した、ＣＵノードとモバイル通信デバイスとの間の通信が中断され得、第１のＤＵノードを通した、ＣＵノードとモバイル通信デバイスとの間の通信を中断する間、第１の無線リンクを使用してモバイル通信デバイスをサーブするための第１のＤＵノードの設定が維持される。第１のＤＵノードを通した、ＣＵノードとモバイル通信デバイスとの間の通信を中断する間、第２のＤＵノードとモバイル通信デバイスとの間の第２の無線リンク上での、第２のＤＵノードを通した、ＣＵノードとモバイル通信デバイスとの間の通信が提供され得る。
【００１７】
発明的概念のいくつかの他の実施形態によれば、第１の分散ユニット（ＤＵ）ノードを動作させるための方法が提供され得、集約ユニット（ＣＵ）ノードが、第１のＤＵノードおよび第２の分散ユニット（ＤＵ）ノードと結合される。本方法は、ＤＵノードとモバイル通信デバイスとの間の第１の無線リンクを使用した、第１のＤＵノードを通した、ＣＵノードとモバイル通信デバイスとの間の通信を提供することを含み得る。ＣＵノードとモバイル通信デバイスとの間の通信を提供するために、第１のＤＵノードによって使用される第１の無線リンクの状態が監視され得る。監視することに基づいて、無線リンクが一時的に利用不能であると決定したことに応答して、無線リンクが一時的に利用不能であることをＣＵノードに通知するためのメッセージがＣＵノードに送信され得る。メッセージを送信した後に、ＣＵノードから受信された命令に応答して、第１のＤＵノードを通した、ＣＵノードとモバイル通信デバイスとの間の通信が中断され得、第１のＤＵノードを通した、ＣＵノードとモバイル通信デバイスとの間の通信を中断する間、第１の無線リンクを使用してモバイル通信デバイスをサーブするための第１のＤＵノードの設定が維持される。
【００１８】
発明的概念のさらなる実施形態は、上記で具陳された方法を実装する集約ユニットノードおよび分散ユニットノードを含む。
【００１９】
本明細書で開示されるいくつかの実施形態によれば、一時的中断を受けやすい無線リンクのためにデータトラフィック送信の高速中断および／または再開が提供され得る。たとえば、一時的に障害が生じた無線リンクが中断され得、未配信のデータトラフィックが新しい無線リンクを介してＵＥに再送信され得、中断された無線リンクの品質が改善すると、中断された無線リンクの使用が再開され得る。
【００２０】
本開示のさらなる理解を与えるために含まれ、本出願に組み込まれ、本出願の一部を構成する、添付の図面は、発明的概念のいくつかの非限定的な実施形態を例示する。
【図面の簡単な説明】
【００２１】
【図１】３ＧＰＰアクセスのための非ローミングアーキテクチャを例示するブロック図である。
【図２】Ｅ−ＵＴＲＡＮアーキテクチャ全体を例示するブロック図である。
【図３】ＥＰＣ制御プレーンプロトコルアーキテクチャを例示する図である。
【図４】ＥＰＣユーザプレーンプロトコルアーキテクチャを例示する図である。
【図５】デュアルコネクティビティのための無線プロトコルアーキテクチャを例示するブロック図である。
【図６】デュアルコネクティビティに関与するｅＮＢのＣプレーンコネクティビティを例示する図である。
【図７】デュアルコネクティビティに関与するｅＮＢのＵプレーンコネクティビティを例示する図である。
【図８】ＳｅＮＢ追加プロシージャを例示するメッセージ図である。
【図９】発明的概念のいくつかの実施形態による、ＲＡＮ論理ノードを例示するブロック図である。
【図１０Ａ】発明的概念のいくつかの実施形態によるメッセージ図である。
【図１０Ｂ】発明的概念のいくつかの実施形態によるメッセージ図である。
【図１１】発明的概念のいくつかの実施形態による、ＤＵノードを例示するブロック図である。
【図１２】発明的概念のいくつかの実施形態による、ＣＵノードを例示するブロック図である。
【図１３】発明的概念のいくつかの実施形態による、ＤＵノードの動作を例示するフローチャートである。
【図１４】発明的概念のいくつかの実施形態による、ＤＵノードのモジュールを例示するブロック図である。
【図１５】発明的概念のいくつかの実施形態による、ＣＵノードの動作を例示するフローチャートである。
【図１６】発明的概念のいくつかの実施形態による、ＣＵノードのモジュールを例示するブロック図である。
【発明を実施するための形態】
【００２２】
次に、発明的概念の実施形態の例が示された添付の図面を参照しながら、発明的概念が以下でさらに十分に説明される。しかしながら、発明的概念は、多くの異なる形態で実施され得、本明細書に記載される実施形態に限定されるものとして解釈されるべきではない。むしろ、これらの実施形態は、本開示が徹底的かつ完全であり、本発明概念の範囲を当業者に十分に伝えるように提供される。これらの実施形態が相互排他的でないことにも留意されたい。一実施形態からの構成要素が、別の実施形態において存在する／使用されると暗に仮定され得る。
【００２３】
５Ｇ  ＲＡＮアーキテクチャに関して３ＧＰＰにおいて進行中の作業の一部として、図９に示されているようなＲＡＮ論理ノードの新しいセットが議論中である。ＴＲ３８．８０１  ｖ１．２．０において、そのような新しいＲＡＮアーキテクチャを説明するために以下が取り込まれている。
「集約ユニット（ＣＵ）：もっぱらＤＵに割り当てられた機能を除くセクション６．２に記載されているｇＮＢ機能を含む論理ノード。ＣＵはＤＵの動作を制御する。
分散ユニット（ＤＵ）：機能的分離オプションに応じて、ｇＮＢ機能のサブセットを含む論理ノード。ＤＵの動作はＣＵによって制御される。」
【００２４】
上記の引用文は、２つの新しい論理ノードを報告し、一方は、上位レイヤプロトコルをホストする、ＣＵノードとも呼ばれる集約型ユニット（ＣＵ）であり、他方は、下位レイヤプロトコルをホストする、ＤＵノードとも呼ばれる非集約型ユニット（ＤＵ）である。本明細書で使用される、集約ユニットおよび集約型ユニットという用語は、互換的に使用され、分散ユニットおよび非集約型ユニットという用語は、互換的に使用される。
【００２５】
ＣＵは、ＲＲＣ（無線リソース制御）およびＰＤＣＰ（パケットデータコンバージェンスプロトコル）などのプロトコルをホストし得、ＤＵは、ＲＬＣ（無線リンク制御）、ＭＡＣ（媒体アクセス制御）およびＰＨＹ（物理レイヤ）などのプロトコルをホストし得る。
【００２６】
ＣＵにおいてＲＲＣ、ＰＤＣＰおよびＲＬＣプロトコルの一部をホストし（特に、ＣＵにおいて自動再送要求（ＡＲＱ）機能をホストし）、ＤＵにおいてＭＡＣおよびＰＨＹとともにＲＬＣプロトコルの残りの一部をホストするなど、ＣＵとＤＵとの間のプロトコル分散の他の変形態が存在する。本明細書のいくつかの実施形態では、ＣＵは、ＲＲＣおよびＰＤＣＰをホストすると仮定され、ＰＤＣＰがＵＰトラフィックとＣＰトラフィックの両方を扱うと仮定される。それにもかかわらず、本明細書の実施形態は、ＣＵにおけるいくつかのプロトコルおよびＤＵにおけるいくつかの他のプロトコルをホストすることによって達成され得る、任意の他のプロトコル分離に適用され得る。本明細書の実施形態は、集約型制御プレーンプロトコル（たとえば、ＰＤＣＰ−ＣおよびＲＲＣ）が集約型ユーザプレーンプロトコル（たとえば、ＰＤＣＰ−Ｕ）に対して異なるＣＵ中にある場合をカバーし得る。
【００２７】
ＣＵおよびＤＵによって識別されるアーキテクチャでは、（モバイル通信デバイス、モバイルデバイス、無線デバイスなどとも呼ばれる）ＵＥが、同じＣＵによってサーブされる複数のＤＵに接続することを可能にすることによって、またはＵＥが、異なるＣＵによってサーブされる複数のＤＵに接続することを可能にすることによって、デュアルコネクティビティが達成され得る。
【００２８】
高速フェージングを受ける無線リンクによってＵＥがサーブされるシナリオでは、リンク上の不十分な無線品質のために、オーバージエアでＵＥに送信されるトラフィックの一部がＵＥに正常に配信されないことが考えられる。この場合、無線リンクは、「遮断」イベントを受け、ある時間量の間、動作していないことがある。そのような時間ウィンドウの後に、無線リンクは、再び無線品質が十分に良好になり得、それゆえ、トラフィックをＵＥに正常に配信することが可能であり得る。
【００２９】
説明されたシナリオは、ＵＥが単一の無線リンクによってサーブされるシナリオであるか、またはデュアルコネクティビティなど、ＵＥが複数のリンクによってサーブされるシナリオであり得る。
【００３０】
そのようなシナリオでは、サービング無線リンクのフェージングまたは遮断のためにＵＥに配信されなかったトラフィックは、代替無線リンクを介してＵＥに再送信される必要があり得る。そうすることに失敗すると、データ損失がＴＣＰ（伝送制御プロトコル）レイヤに向けられることがあり、これにより、輻輳管理機構の一部としてデータスループットが低減し得る。
【００３１】
未配信のトラフィックをＵＥに再送することに加えて、別の問題は、好適な無線リンクを介したユーザデータ送信を確立することであり得る。それゆえ、ＵＥにとって利用可能な任意の無線リンクに未配信のトラフィックを急速に再送し、障害が生じた無線リンクがその無線品質を回復しない限り、好適な無線リンクにユーザデータをフォワーディングすることが必要とされ得る。したがって、要約すると、行われるべき２つの判断があり得る。
【００３２】
１）前記サービング無線リンクが、別の無線リンクを使用することによって対処されるべき無線リンク問題に遭遇するかどうかを判断する、および
【００３３】
２）他の無線リンクを介してどのデータパケットを送信すべきかを判断する。
【００３４】
発明的概念の実施形態は、データトラフィックの集約型管理が有利であり得る任意の無線技術に適用され得る。いくつかの実施形態によれば、ＤＵは、無線リンクが適切に機能しているかどうか、または一部のユーザデータがＵＥに正常に配信されていない可能性があるかどうかを検出することを可能にされ得る。この場合、ＤＵおよびＣＵは、別のＤＵ上での配信のほうを優先してＤＵ上でのデータトラフィック配信が中断されるべきであるかどうかを決定することと、未配信のデータトラフィックが異なるＤＵを介して送られるべきであるかどうか、およびどのように送られるべきであるかを判断することとを行う、シグナリング交換に関与することができる。
【００３５】
遮断を受ける無線リンクを担当するＤＵは、ＵＥに配信されなかったと仮定されるデータトラフィックに関する情報とともに、そのサービングＣＵに接触し得る。ＤＵはまた、ＵＥとの無線リンクが一時的に利用不能であることをＣＵに指示する。ＤＵからのこのシグナリングは、無線状態が十分に良好なレベルまで再開するまで、ＤＵによってサーブされる無線リンクを除外すべきかどうか、または前記ＤＵ上のデータトラフィック配信を「中断」すべきかどうかをＣＵに判断させることが意図される。
【００３６】
ＣＵは、代替無線リンクがＵＥをサーブするために利用可能であるという条件で、ＵＥのためのサービングＤＵとして第１のＤＵを保ちながら（すなわち、第１のＤＵは、依然として、デュアルコネクティビティ専門用語によるセカンダリノードとして保たれる）、第１のＤＵ上のデータトラフィックの送信を中断し、第２の無線リンク上で未配信のデータトラフィックをフォワーディングし、ＣＵは、第１のＤＵのために前にスケジュールされたデータトラフィックの送信を、他の利用可能な無線リンクをサーブする第２のＤＵに切り替える。
【００３７】
第１の無線リンクが再び品質が十分に良好になるとき、そのような知識が、第１の無線リンク上でデータトラフィックを配信するために、ＵＥ測定を介してまたは周期的試みを介してなど、いくつかのやり方で収集され、ＣＵは、（無線リンクが良好であったときの）前の設定通りに第１のＤＵにデータトラフィックのフォワーディングをスイッチバックする。すなわち、第１のＤＵへのデータトラフィックの配信のＣＵ中断にもかかわらず、第１のＤＵが、ＵＥのためのサービングＤＵとして除外されず、第１のＤＵのＬ２およびＬ１が、ＵＥをサーブするために設定されたままであったことに照らして、さらなるＬ２／Ｌ１設定が関与することなしに、ＣＵが単に第１のＤＵへのデータトラフィックのフォワーディングを再開始することが可能である。これは、第１のＤＵ上でのトラフィック配信の速度を上げ得、異なるサービングＤＵ間のトラフィック配信の高速切替えを可能にし得る。
【００３８】
発明的概念のいくつかの実施形態によれば、新しい無線リンクを介したＵＥへの未配信のデータトラフィックの高速再送信が、第１のサービング無線リンクのフェージングまたは遮断の場合に与えられ得る。そのような実施形態は、一時的に障害が生じた無線リンクが除外されず、代わりに、そのような無線リンクが不十分な無線品質を受ける時間の間、そのリンクをサーブするＤＵへのデータトラフィック配信が中断され得ることを可能にし得る。そのような実施形態は、次いで、切れた無線リンクから異なるＤＵによってサーブされる無線リンクへのユーザプレーンデータ送信の高速切替えを可能にし得、それにより、良好な／より良好な無線品質を享受する。
【００３９】
いくつかの実施形態によれば、第１のＤＵによってサーブされる第１の無線リンクを介したデータトラフィック配信の再開は、そのような無線リンクの品質が十分に良好なレベルまで再開したとき、許容され得る。すなわち、切れた無線リンクをティアダウンし（ｔｅａｒ  ｄｏｗｎ）、状態が、良好な無線品質を示した後に、その無線リンクを再確立する代わりに、いくつかの実施形態は、障害が生じている無線リンク上でのデータトラフィック送信の高速中断および再開を可能にし得る。
【００４０】
いくつかの実施形態によれば、２つの無線リンクのみが関与するシナリオが考慮され得る。そのような無線リンクは、異なるＤＵによってサーブされ得る。しかしながら、発明的概念は、ＵＥが、異なるＤＵによってサーブされる複数の無線リンク（たとえば、３つ以上の無線リンク）に接続されるシナリオにも適用され得る。そのようなマルチコネクティビティシナリオでは、複数の無線リンクに接続されたＵＥが、複数の無線リンク上で中断されたデータトラフィックを見ることがあり、未配信のトラフィックが、異なるＤＵによってサーブされる複数の他の無線リンクを介して再送信され、データトラフィックが、良好な無線品質をもつ無線リンクをサーブするＤＵの間で再分散される。複数の、障害が生じた無線リンクが再び良好になったとき、障害イベントの前にそうであったようにトラフィックがすべてのＤＵの間で再分散され得る。
【００４１】
発明的概念のいくつかの実施形態による第１の方法が以下で説明される。分散ユニット（ＤＵ１）が、ＤＵ１とＵＥとの間の無線リンクが一時的にダウンしていると決定し、（その無線インターフェースの「マスタ」としての）ＤＵ１が、別の経路（ＤＵ２）を介したデータ転送をいつ断念および再開すべきかを判断するべきであることが仮定される。
【００４２】
分散ユニット（ＤＵ）トリガ回復プロシージャでは、サービングＤＵ１は、（たとえば、測定報告、ＣＱＩフィードバック、（たとえば、サウンディング参照信号（ＳＲＳ）を使用する）ＵＬ測定、ＨＡＲＱ  ＡＣＫ／ＮＡＣＫ比、ＲＬＣステータス報告などに基づいて）ＵＥへの無線リンク状態を監視する。ＤＵ１は、ＵＥへの無線リンクが一時的に使用不能であることを発見し得る。ＮＲ（新しい無線）は、ネットワーク制御されたおよび集約的にスケジュールされた無線インターフェースであるので、ＤＵ１は、ＵＥの（かなり）前にこの判断を行うべきである。この理由で、ＵＥは、無線リンク問題を検出してからかなり長い時間の後に無線リンク障害（ＲＬＦ）をトリガするにすぎない。この状況では、ＤＵ１は、ＤＵ１が、現在、ＵＥにデータを転送することができないことをＣＵに指示する。これは、ＤＵ１に、サーブされるＵＥへの無線リンクが一時的に利用不能であると述べるメッセージをＣＵに送らせることによって達成され得る。一時的利用不能の指示は、一般的な利用不能／停止の指示とは異なり得、この差は、ＤＵ１からＣＵへのメッセージ中の異なるフラグ／原因値／指示として指示され得ることに留意されたい。ＤＵ１による一時的利用不能は、無線リンク状態、または（一般的な利用不能／停止を決定するために使用される限界／しきい値とは異なる）一定の限界／しきい値内の状態の傾向によって決定され得る。
【００４３】
特に、分散ユニット（ＤＵ１）は、ＵＥに向かうＤＵ１の無線リンクを監視し、一時的無線リンク遮断物によりＤＵ１がいつＵＥにデータを転送することができないかをＣＵに知らせる。
【００４４】
ＵＥのＲＬＦ（無線リンク障害）機構は、状態非同期化（ｓｔａｔｅ−ｄｅｓｙｎｃｈｒｏｎｉｚａｔｉｏｎ）および不要な再送信を低減／回避するために、（無線リンク上での一時的停止をシグナリングするための）ネットワーク側ＲＲＭ（無線リソース管理）機構と比較して控えめに（遅く）反応するべきであることが観測されるべきである。
【００４５】
ＰＤＣＰ  ＰＤＵ（プロトコルデータユニット）が新しいＤＵ２無線リンク上でＣＵによって再送信される必要があり得る情報が、いくつかの技法によって第１のＤＵによって提供され得る。ある第１の技法は、受信されたＲＬＣ（無線リンク制御）確認応答メッセージに基づいて、正常に配信されなかったＰＤＣＰ  ＰＤＵを推論することである。この場合、非確認応答ＲＬＣ  ＰＤＵに対応するすべてのＰＤＣＰ（パケットデータコンバージェンスプロトコル）ＰＤＵ（プロトコルデータユニット）が、再送信される必要があるＰＤＵとしてＣＵに対してフラグを付けられ得る。別の技法は、ＵＥからのＲＬＣステータス報告に依拠することであり得る。ＲＬＣステータス報告によって、サービングＤＵは、どのＲＬＣ  ＰＤＵがＵＥに正常に送信されたかを知り、サービングＤＵは、どのＰＤＣＰ  ＰＤＵが送信されたか（ＮＲにおける（完全な）ＲＬＣ  ＰＤＵとＰＤＣＰ  ＰＤＵとの間の１：１のマッピング）を導出することができる。
【００４６】
上記の技法のいずれかに従って、または実際、任意の好適な代替技法を介して、ＤＵ１が、ＵＥへの無線リンクが使用不能になったと決定したとき、ＤＵ１は、どのＰＤＣＰ  ＰＤＵが配信されたか、対応して、どのＰＤＣＰ  ＰＤＵが、おそらくまだ配信されておらず、別の経路（たとえば、ＤＵ２）を介して再送されるべきであるかをＣＵに通知し得る。
【００４７】
さらに、ＤＵ１は、ＰＤＣＰ  ＰＤＵのために使用されるＲＬＣ  ＳＮ（シーケンス番号）番号に関する情報、同様にＲＬＣレベルセグメンテーションに関する情報、および（たとえば、配信されなかったＰＤＣＰパケットに関係する）送信バッファ中の待機ＲＬＣパケット数についてＣＵに通知し得る。この追加情報は、リンクが使用可能になると、送信を再開すると判断された場合、ＣＵにおいて使用され得る。たとえば、待機パケットの数が多い場合、新しいパケットのデータ送信の再開の速度を上げるために、ＲＬＣバッファを明示的にフラッシュすることが望ましいことがある。
【００４８】
発明的概念のいくつかの実施形態では、ＣＵは、ＤＵ１によって指示された利用不能のタイプ、すなわち、一時的利用不能または一般的な停止／利用不能に応じて、利用不能を指示するＤＵ１を介して正常に送られなかったＰＤＣＰ  ＰＤＵを回復するために、異なる措置を適用し得る。一時的利用不能の場合、ＣＵは、軽量データ回復プロシージャをトリガし、すなわち、正常に送信されなかったＰＤＣＰ  ＰＤＵを他のＤＵを介してＵＥに再送し得る。一般的な停止の場合、ＣＵは、ＵＥのためのフルＰＤＣＰデータ回復プロシージャをトリガし得、ＤＵ１およびＵＥのＲＬＣデータをフラッシュし、ＭＡＣをリセットする。
【００４９】
それゆえ、ＵＥへの無線リンクが現在使用不能であることをＣＵに通知するとき、ＤＵ１は、どのＰＤＣＰ  ＰＤＵが正常に配信されず、異なるリンクを介して最終的に再送されるべきであるかについてＣＵに通知する。
【００５０】
発明的概念のいくつかの実施形態では、フロー制御プロトコルの一部として、ＤＵ１における送信のための希望されるより多くのデータの負の量をＣＵに指示することによって、一時的利用不能が指示される（解釈される）。その場合、負の量のデータ（ＰＤＵ）は、まだ正常に送信されていないので再送信を必要とするＰＤＵを指す。
【００５１】
「未解決データ（ｏｕｔｓｔａｎｄｉｎｇ  ｄａｔａ）」指示の精度が改善され得る。ＲＬＣステータス報告は、ＨＡＲＱフィードバックよりも著しく低い頻度で交換され得る。これは、オーバーヘッドを適度に低く保ち、不要な再送信をトリガすることを低減／回避するためである。結果として、ＤＵ１は、ＵＥが実際にすでに受信したいくつかのＰＤＣＰ  ＰＤＵの再送信を示唆し得る。ＮＲが、ＬＴＥよりも小さいＨＡＲＱ（ハイブリッド自動再送要求）ＲＴＴ（ラウンドトリップタイム）を用いて動作することになるので、ＲＬＣステータス報告も、より頻繁に送られるべきである。これは、上述の「オーバーヘッド」を低減し得る。この問題に対処するために、ＵＥは、第１のＤＵ１とのリンクが失われた直後に、第１のＤＵ１が利用可能でない間、ＰＤＣＰステータス報告を、ターゲットＤＵに、すなわち、ユーザプレーントラフィックの配信を引き継ぐように指定されたＤＵ２に送り得る。そのようなＰＤＣＰステータス報告は、ＲＲＣを介して、たとえば、ＲＲＣＣｏｎｎｅｃｔｉｏｎＲｅｃｏｎｆｉｇｕｒａｔｉｏｎＣｏｍｐｌｅｔｅメッセージを介して送られ得る。ＰＤＣＰステータス報告は、どのＰＤＣＰ  ＰＤＵがＵＥによって正しく受信されたかを述べる。そのような報告は、サービングＣＵにフォワーディングされることになる。それゆえ、サービングＣＵは、再送信のための第１のＤＵによってシグナリングされたＰＤＣＰ  ＰＤＵのうちのどれがＵＥによって正しく受信されたかを理解することができる。これは、不要な再送信を回避することができる。
【００５２】
ＵＥは、おそらく、ＤＵ１が確認応答をまだ受信していないいくつかのパケットを受信したことになる。これは、不要な再送信をもたらし得る。それらの不要な再送信の、エンドツーエンド性能に対する影響が小さいことが予想される。しかしながら、これは、ＵＥがターゲットセルにおいて（ＬＴＥにおけるＰＤＣＰステータス報告と同様の）ステータス報告を送る場合、低減／回避され得る。
【００５３】
さらに、ＵＥは、ＰＤＣＰ  ＰＤＵの１つのセグメントを搬送したＲＬＣ  ＰＤＵを受信していることがあるが、そのＰＤＣＰ  ＰＤＵの残りを搬送するＲＬＣ  ＰＤＵを受信していないことがある。ＤＵ１がＰＤＣＰ  ＰＤＵごとにＣＵに報告する場合、ＣＵは、ＵＥが実際にすでに受信したＰＤＣＰペイロードオクテットを再送信し得る。ただし、高いＬ１データレート（大きいトランスポートブロック）で少数のＰＤＣＰ  ＰＤＵのみがセグメンテーションを受けることになることに留意されたい。第２に、ＮＲは、ＬＴＥよりも小さいＨＡＲＱ  ＲＴＴを使用することになり、このため、より少数のＨＡＲＱプロセスを用いて動作することができる。それゆえ、ＰＤＣＰ  ＰＤＵのすでに受信されたセグメントの不要な再送信の影響が小さいことが予想される。
【００５４】
ＰＤＵは、ソースＤＵ１において廃棄され得る。ＣＵに知らせた後に、問題に遭遇しているＤＵ１は、ＣＵが、これらのパケットが他のＤＵを介していずれにせよ配信されることを保証することになるので、すべての保留中のＰＤＣＰ  ＰＤＵ（および場合によってはこれらのＰＤＣＰ  ＰＤＵをカプセル化するＲＬＣ  ＰＤＵならびに潜在的にこれらのＰＤＵを搬送するＭＡＣ  ＨＡＲＱプロセス）を廃棄することができる。ＵＥへのＤＵの無線リンクが再び利用可能になる場合、ＤＵがパケットを保つことが考慮され得る。しかしながら、リンク中断は、たいてい、少なくとも、新しいＤＵがその量のデータを送信することを可能にする持続時間の間、残存することが仮定されるべきである。この場合、これは、ＵＥにおける重複ＰＤＵ受信を生じることになるので、ＤＵ１は、記憶されたトラフィックを送る必要がないことがある。ＤＵ１上の無線リンクの中断が、極めて短い時間の間のみ、残存することになる（したがって、ＤＵ２が、いずれにせよ、ＤＵ１にすでに達したトラフィックを引き継ぎ、送信する機会を有しない）場合、これは、障害をＣＵにあまりに積極的に宣言するＤＵ１の症状であり得る。この場合、ＣＵが重複パケットの受信を検出するための機構が提供され得る。たとえば、ＣＵは、ＵＥによって送られたＰＤＣＰステータス報告を検査し、ＵＥが、ＣＵがＤＵ２に配信したＰＤＣＰ  ＰＤＵをすでに受信したことを了解することができる。この情報を用いて、ＣＵは、無線リンク停止の宣言があまりに積極的に行われたこと（あまりに早い停止検出）をＤＵ１に指示し得、ＤＵ１は、したがって、ＤＵ１の停止／利用不能検出基準、たとえば、タイマーを調整することができる。あまりに遅い停止検出のために等価な機構が配備され得ることは注目に値する。これは、ＣＵが、多くのＰＤＣＰ  ＰＤＵがＵＥによって受信されなかったことと、ＤＵ１が、より高速に無線リンク停止を宣言して、したがって、より高速なやり方でＤＵ２を介してユーザデータ送信を切り替えることができることとを（たとえば、ＰＤＣＰステータス報告を介して）識別することを可能にすることによって達成され得る。
【００５５】
また、ＣＵからのデータトラフィックフォワーディングがＤＵ２に移動される前にＤＵ１にフォワーディングされるデータが、フラッシュされず、保たれ、このデータの一部がＵＥに送られるように周期的に試みられることが可能である。そのような周期的試みは、ＤＵ１の無線リンクが再び正しく機能しているかどうかを検査する目的を果たし得る。ＤＵ１にデータを記憶することの代替として、ＣＵは、データフォワーディングをＤＵ２に切り替えた後に、ＤＵ１にＵＥへの送信を試みさせるために、ＤＵ１にいくつかのＰＤＣＰ  ＰＤＵを周期的に送ることができる。ＵＥへの送信が成功した場合、ＤＵ１は、ＤＵ１を介したデータ送信を再開するＣＵとのシグナリングをトリガすることが可能であろう。
【００５６】
ＤＵ１が、代替経路を使用してＣＵによって送信されることになる部分的に送信されたパケットを廃棄することを判断した場合、ＤＵ１は、受信機中のＲＬＣが、同様に、部分的に受信されたパケットを廃棄するように、リンクが回復されたときに、（たとえば、ＲＬＣシグナリングを使用して）このことをＵＥに指示する必要があり得る。
【００５７】
パケット重複が行われ得る。また、ＤＵ１からＣＵへのシグナリングが、すべてのトラフィックが重複させられ、ＣＵからＤＵ１とＤＵ２の両方に送られることを指示することができる。このことは、ＰＤＣＰ  ＰＤＵがＵＥにおいて正しく受信される機会を増加させ／最大化し得るが、このことはまた、複数のリンク上での不要な再送信によるリソース浪費を暗示し得る。ＣＵは、ＤＵ１からＤＵ２への受信されたシグナリングにおいて指示されたＳＮとともにＰＤＣＰ  ＰＤＵを送信することになる。ＣＵは、この瞬間から、ＰＤＣＰ  ＰＤＵを重複させ、それらのＰＤＣＰ  ＰＤＵを両方のＤＵ上で送ることになる。
【００５８】
ＵＥが、（ＤＵのうちの１つを介して）１回または（両方のＤＵがなんとか正常にＰＤＣＰ  ＰＤＵを送る場合、両方のＤＵを介して）２回、ＰＤＣＰ  ＰＤＵを受信し得る。これは、ＵＥが重複ＰＤＵを廃棄するにすぎないので、問題にならない。
【００５９】
ＵＬ（アップリンク）方向では、ＵＥは、ＤＵ１に向かう無線スタック（ＲＬＣ／ＭＡＣ／Ｌ１）において留まっているいくらかのデータを有し得る。ＬＴＥデュアルコネクティビティでは、そのデータは、ＭｅＮＢが、（ＲＲＣシグナリングにより）「ＭＣＧ分離」から「ＭＣＧ」にベアラタイプを変更するようにＵＥに命令するまでそこにとどまる。無線リンクの中断が短い場合、レッグをティアダウンし、ベアラタイプを変更することは、望ましくないことがある。
【００６０】
この場合、ＣＵは、ＰＤＣＰ制御ＰＤＵまたはＤＬデータＰＤＵを送ることができ、ＰＤＣＰ制御ＰＤＵまたはＤＬデータＰＤＵ中で、ＣＵは、「ＤＵ１無線スタックからデータを回復する」ことをＵＥに告げる。ＵＥは、その指示を受信すると、ＲＬＣレイヤにおいて留まっているすべてのＰＤＣＰ  ＰＤＵをプルし、できるだけ早くそれらのＰＤＣＰ  ＰＤＵをＤＵ２リンクを介して再送するであろう。
【００６１】
上記で説明された実施形態は、ＣＵと、関与するＤＵと、ＵＥとの間のシグナリングの観点から説明され得る。
【００６２】
上記で説明されたように、ＤＵ１から適切なシグナリングを受信すると、ＣＵは、第１の経路のまだ配信されていないＰＤＣＰ  ＰＤＵをＤＵ２に向かってフォワーディングする。ＣＵは、ＵＥを（ＲＲＣによって）再設定する必要がない、すなわち、ＣＵは、ＤＵ１と設定されたＵＥとの間の無線リンクを保ち得る。ＬＴＥ  ＤＣ原理に従って、ＵＥは、そのリンク（Ｓ−ＲＬＦ）上の障害を発見し得、その場合、アップリンク送信を停止するべきである。しかしながら、ＲＲＣ接続が（ＤＵ２を介して）依然として利用可能であるので、ＵＥは再確立しない。ＵＥは、ＮＷ（ネットワーク）からＲＲＣ再設定を受信しないので、ＵＥはまた、ＤＵ１接続のためのＲＬＣ／ＭＡＣプロトコルスタックをリセットしない。ＤＵ１リンク上で正常に送られなかったトラフィックを再送信することとともに、ＣＵは、元はＤＵ１を介して送られたデータトラフィックのフォワーディングをＤＵ２に切り替える。ＤＵ１上の無線リンクが、データ配信成功のための十分に良好な無線品質に復帰したとき、ＣＵは、ＤＵ１に向かうデータトラフィック分散の元の設定通りに、トラフィックのデータフォワーディングをＤＵ１に切り替える。
【００６３】
図１０Ａ〜図１０Ｂは、発明的概念のいくつかの実施形態によるメッセージシーケンスチャートを示す。最初に、モバイル通信デバイス（ＵＥ）が、状態０においてＲＲＣおよびＰＤＣＰレベルにおいてＣＵノードに接続される。図１０Ａでは、モバイル通信デバイスは、第１のＤＵノード（ＤＵ１）を通しておよび場合によっては第２のＤＵノード（ＤＵ２）を通して、ＣＵノードとデータを交換する。動作１において、第１のＤＵノード（ＤＵ１）は、モバイル通信デバイス（ＵＥ）との無線リンクが（たとえば、遮断、高速フェージングなどによる）停止を受け、したがって、ＤＵ１とＵＥとの間の無線リンクが一時的に利用不能であり得ると決定し得る。この決定に応答して、メッセージ２において、ＤＵ１は、ＵＥをサーブする無線リンクが一時的に利用不能であることをＣＵノードにシグナリングし得、ＤＵ１は、ＵＥに配信されなかったＰＤＣＰ  ＰＤＵ番号をシグナリングし得る。動作３において、ＣＵノードは、異なるＤＵノードによってサーブされる他の無線リンクがＵＥとのサービスのために利用可能であるかどうかを分析し得る。他の１つまたは複数のＤＵが（たとえば、ＤＣを介して）ＵＥをサーブするようにすでに設定されている場合、ＣＵノードは、そのような１つまたは複数のＤＵを選択し得る。他の場合、ＣＵノードは、新しい好適なＤＵノードを選択し得る。ＣＵノードは、ＤＵ１のＲＬＣ／ＭＡＣをリセットしないことによって、サーバＵＥへの設定されたＤＵノードとしてＤＵ１を除外しない。ＵＥからＰＤＣＰステータス報告が受信された場合、ＣＵノードは、新しいＤＵノード上でＵＥに再送信されるべきＰＤＣＰ  ＰＤＵのリストを更新する。
【００６４】
メッセージ４において、ＣＵノードは、ＤＵ１上での成功しなかった配信により再送されるべきＰＤＣＰ  ＰＤＵを新しいＤＵノード（ＤＵ２）にシグナリングする。ＣＵノードは、ＤＵ２がＵＥと交換することになる新しいユーザトラフィックをＤＵ２に通知し、これは、ベアラ修正命令の形態のものであり得る。
【００６５】
動作５において、ＵＥへのデータ送信がＤＵ２を介して維持され、ＤＵ１は、ＵＥをサーブするように設定されたままであるが、トラフィックはＤＵ１によって送信されない。動作６において、ＤＵ１および／またはＣＵノードは、ＤＵ１からＵＥへの無線リンクが再び送信のために利用可能であると決定し得る。これは、ＵＥ測定の分析を介して、またはＣＵからトラフィックをＤＵ１にフォワーディングする周期的試みおよびＤＵ１からそのようなトラフィックをＵＥに正常に送信する試みを介して生じ得る。動作７において、ＣＵノードは、無線停止／利用不能の前の設定通りに、ＤＵ１へのトラフィック配信を再開し、ＤＵ１は、無線リンク上でトラフィックをＵＥにフォワーディングする。
【００６６】
図１１は、本明細書で開示されるいくつかの実施形態による、分散ユニット（ＤＵ）ノード１１００（たとえば、ＤＵノードＤＵ１またはＤＵ２）を例示するブロック図である。図示のように、ＤＵノード１１００は、トランシーバ１１０１、ネットワークインターフェース１１０５、およびメモリ１１０７と結合された、プロセッサ１１０３を含み得る。トランシーバ１１０１は、（無線アクセスネットワーク（ＲＡＮ）トランシーバとも呼ばれる）セルラーＲＡＮインターフェースおよび／または他の無線ネットワーク通信インターフェースのうちの１つまたは複数を含み得る。したがって、ＤＵノード１１００は、１つまたは複数の無線リンク上での、１つまたは複数のモバイル通信デバイスとの無線通信を提供することができる。ネットワークインターフェース１１０５は、ＣＵノードなど、他のネットワークノード／デバイスとの通信を提供し得る。（プロセッサ回路または処理回路要素とも呼ばれる）プロセッサ１１０３は、汎用プロセッサおよび／または専用プロセッサ（たとえば、マイクロプロセッサおよび／またはデジタル信号プロセッサ）など、１つまたは複数のデータ処理回路を含み得る。プロセッサ１１０３は、実施形態のうちの１つまたは複数のために本明細書で説明される動作および方法の一部または全部を実施するために、コンピュータ可読媒体として以下で説明される（メモリ回路またはメモリ回路要素とも呼ばれる）メモリ１１０７中の機能モジュールからのコンピュータプログラム命令を実行するように設定され得る。その上、プロセッサ１１０３は、メモリを含むように規定され得、したがって、別個のメモリ１１０７が必要とされないことがある。
【００６７】
図１２は、本明細書で開示されるいくつかの実施形態による、集約ユニット（ＣＵ）ノード１２００を例示するブロック図である。図示のように、ＣＵノード１２００は、ネットワークインターフェース１２７１およびメモリ１２７５と結合された、プロセッサ１２７３を含み得る。ネットワークインターフェース１２７１は、複数のＤＵノードなど、他のネットワークノード／デバイスとの通信を提供し得る。（プロセッサ回路または処理回路要素とも呼ばれる）プロセッサ１２７３は、汎用プロセッサおよび／または専用プロセッサ（たとえば、マイクロプロセッサおよび／またはデジタル信号プロセッサ）など、１つまたは複数のデータ処理回路を含み得る。プロセッサ１２７３は、実施形態のうちの１つまたは複数のために本明細書で説明される動作および方法の一部または全部を実施するために、コンピュータ可読媒体として以下で説明される（メモリ回路またはメモリ回路要素とも呼ばれる）メモリ１２７５中の機能モジュールからのコンピュータプログラム命令を実行するように設定され得る。その上、プロセッサ１２７３は、メモリを含むように規定され得、したがって、別個のメモリ１２７５が必要とされないことがある。
【００６８】
次に、発明的概念のいくつかの他の実施形態による、図１３のフローチャートおよび図１４のモジュールを参照しながら、ＤＵノード１１００の動作が説明される。たとえば、図１４のモジュールは、図１１のメモリ１１０７に記憶され得、これらのモジュールは、モジュールの命令がプロセッサ１１０３によって実行されたとき、プロセッサ１１０３が図１３のフローチャートのそれぞれの動作を実施するように、命令を提供し得る。その上、ＤＵノード１１００は、ＤＵノード１１００が通信する集約ユニット（ＣＵ）ノードと、ＤＵノードとをも含む、ｇノードＢ（ｇＮＢ）のノードであり得る。
【００６９】
ＤＵノード１１００の動作は、発明的概念のいくつかの実施形態による、図１３のフローチャートにおいて例示されている。ブロック１２０１において、第１の分散ユニット（ＤＵ）ノード１１００のプロセッサ１１０３は、たとえば、通信モジュール１３０１を使用して、ＤＵノードとモバイル通信デバイスとの間の第１の無線リンクを使用した、第１のＤＵノードを通した、ＣＵノードとモバイル通信デバイス（ＵＥ）との間の通信を提供し得る。そのような通信は、トランシーバ１１０１およびネットワークインターフェース１１０５を通して提供され得る。ブロック１２０３において、プロセッサ１１０３は、ＣＵノードとモバイル通信デバイスとの間の通信を提供するために、たとえば、監視モジュール１３０３を使用して、第１のＤＵノードによって使用される第１の無線リンクの状態を監視し得る。プロセッサ１１０３は、たとえば、モバイル通信デバイスから受信された測定報告、モバイル通信デバイスから受信されたチャネル品質情報（ＣＱＩ）フィードバック、モバイル通信デバイスから受信された信号に基づくアップリンク（ＵＬ）測定、ＨＡＲＱ  ＡＣＫ／ＮＡＣＫ比、およびモバイル通信デバイスから受信された無線リンク制御（ＲＬＣ）ステータス報告のうちの少なくとも１つに基づいて状態を監視し得る。
【００７０】
ブロック１２０５において、プロセッサ１１０３は、たとえば、監視モジュール１３０３を使用して監視することに基づいて、無線リンクが一時的に利用不能であるかどうかを決定し得る。プロセッサ１１０３は、たとえば、モバイル通信デバイスから受信された測定報告、モバイル通信デバイスから受信されたＣＱＩフィードバック、モバイル通信デバイスから受信された信号に基づくＵＬ測定、ＨＡＲＱ  ＡＣＫ／ＮＡＣＫ比、およびモバイル通信デバイスから受信されたＲＬＣステータス報告のうちの少なくとも１つの傾向に基づいて、無線リンクが一時的に利用不能であると決定し得る。
【００７１】
ブロック１２０５において、監視することに基づいて、無線リンクが一時的に利用不能であると決定したことに応答して、プロセッサ１１０３は、たとえば、送信モジュール１３０７を使用して、ブロック１２０７において、無線リンクが一時的に利用不能であることをＣＵノードに通知するためのメッセージをＣＵノードに送信し得る。無線リンクが一時的に利用不能であるというメッセージは、第１のＤＵノードによって送信されるべきデータの負の量についての要求をモバイル通信デバイスに指示するメッセージであり得る。
【００７２】
ブロック１２０９において、メッセージを送信した後に、ＣＵノードから受信された命令に応答して、プロセッサ１１０３は、たとえば、中断モジュール１３１１を使用して、第１のＤＵノード１１００を通した、ＣＵノードとモバイル通信デバイスとの間の通信を中断し得る。しかしながら、中断中に、プロセッサ１１０３は、第１のＤＵノードを通した、ＣＵノードとモバイル通信デバイスとの間の通信を中断する間、第１の無線リンクを使用してモバイル通信デバイスをサーブするための第１のＤＵノードの設定を維持し得る。より詳細には、第１の無線リンクを使用してモバイル通信デバイスをサーブするための第１のＤＵノードの設定を維持することは、第１のＤＵノードを通した、ＣＵノードとモバイル通信デバイスとの間の通信を中断する間、媒体アクセス制御（ＭＡＣ）設定、無線リンク制御（ＲＬＣ）設定、レイヤ１（Ｌ１）設定、および／またはレイヤ２（Ｌ２）設定のうちの少なくとも１つを維持することを含み得る。
【００７３】
ブロック１２０３および１２０５において、監視することに基づいて、無線リンクが一時的に利用不能であると決定したことに応答して、プロセッサ１１０３は、ブロック１２１３において、ネットワークインターフェース１１０５を通してＣＵノードに情報を送信し得、情報は、無線リンク上でモバイル通信デバイスに送信されなかったプロトコルデータユニット（ＰＤＵ）を識別し、および／または無線リンク上でモバイル通信デバイスに送信されたＰＤＵを識別する。プロセッサ１１０３は、ＰＤＵ情報送信モジュール１３１３を使用して、ブロック１２１３の動作を実施し得る。いくつかの実施形態によれば、プロセッサ１１０３は、第１のＤＵノードにおいてモバイル通信デバイスから受信された確認応答メッセージに基づいて、無線リンク上でモバイル通信デバイスに送信されなかったＰＤＵを決定し得る。いくつかの他の実施形態によれば、プロセッサ１１０３は、第１のＤＵノードにおいてモバイル通信デバイスから受信された無線リンク制御（ＲＬＣ）ステータス報告に基づいて、無線リンク上でモバイル通信デバイスに送信されなかったＰＤＵを決定し得る。ＰＤＵを識別する情報は、無線リンク制御（ＲＬＣ）シーケンス番号（ＳＮ）、ＲＬＣレベルセグメンテーションに関する情報、および／または第１のＤＵノードの送信バッファ中のＲＬＣパケットの数のうちの少なくとも１つを含み得る。その上、ＰＤＵは、パケットデータコンバージェンスプロトコル（ＰＤＣＰ）ＰＤＵであり得る。
【００７４】
ブロック１２０７においてメッセージを送信した後に、プロセッサ１１０３は、たとえば、監視モジュール１３１５を使用して、ブロック１２１５において、第１のＤＵノードを通した、ＣＵノードと無線通信デバイスとの間の通信を中断する間、第１のＤＵノードとモバイル通信デバイスとの間の第１の無線リンクの状態を監視し得る。ブロック１２１７において、第１の無線リンク上の改善された状態を検出したことに応答して、プロセッサ１１０３は、たとえば、送信モジュール１３１９を使用して、ブロック１２１９において、第１の無線リンクが利用可能であることをＣＵノードに通知するためのメッセージをＣＵノードに送信し得る。
【００７５】
ブロック１２１９において、第１の無線リンクが利用可能であるというメッセージを送信した後に、プロセッサ１１０３は、たとえば、通信再開モジュール１３２１を使用して、ブロック１２２１において、第１の無線リンクを使用した、第１のＤＵノードを通した、ＣＵノードとモバイル通信デバイスとの間の通信を提供することを再開し得る。通信を再開することは、プロセッサ１１０３が、モバイル通信デバイスに対する、部分的に受信されたパケットを廃棄するようにとの命令を、第１の無線リンク上でトランシーバ１１０１を通して送信することを含み得る。
【００７６】
ブロック１２０７において、無線リンクが一時的に利用不能であるというメッセージを送信した後に、プロセッサ１１０３は、ＣＵノードから、モバイル通信デバイスのためのＤＵノードの無線リンク制御（ＲＬＣ）バッファをフラッシュするようにとの命令を受信し得る。この命令を受信したことに応答して、プロセッサ１１０３は、モバイル通信デバイスのためのＲＬＣバッファをフラッシュし得る。
【００７７】
いくつかの他の実施形態によれば、プロセッサ１１０３は、第１のＤＵノードを通した、ＣＵノードとモバイル通信デバイスとの間の通信を中断する間、メッセージを送信した後に、モバイル通信デバイスのための第１のＤＵノードのバッファ中のパケットデータユニット（ＰＤＵ）を維持し得る。そのような実施形態によれば、通信を中断する間にブロック１２１５において監視することは、モバイル通信デバイスのためのバッファからのＰＤＵのうちの１つを送信することと、バッファからのＰＤＵのうちの１つを正常送信したことに応答して、第１の無線リンク上の改善された状態を検出することとを含み得る。
【００７８】
いくつかの実施形態によれば、プロセッサ１１０３は、無線リンクが一時的に利用不能であると決定したことに応答して、モバイル通信デバイスのための第１のＤＵノードのバッファ中の保留中のパケットデータユニット（ＰＤＵ）を廃棄し得る。その上、保留中のＰＤＵを廃棄することは、ＰＤＣＰ  ＰＤＵ、ＲＬＣ  ＰＤＵ、ならびにＰＤＣＰ  ＰＤＵおよび／またはＲＬＣ  ＰＤＵを搬送するＭＡＣ  ＨＡＲＱプロセスのうちの少なくとも１つを廃棄することを含み得る。
【００７９】
図１３の様々な動作および／または図１４のモジュールは、いくつかの実施形態に関して随意であり得る。（以下に記載される）例示的な実施形態１の方法に関して、たとえば、図１３のブロック１２１３、１２１５、１２１７、１２１９、および１２２１の動作は随意であり得、関係するＣＵノードに関して、図１４のモジュール１３１３、１３１５、１３１９、および１３２１は随意であり得る。
【００８０】
次に、発明的概念のいくつかの他の実施形態による、図１５のフローチャートおよび図１６のモジュールを参照しながら、ＣＵノード１２００の動作が説明される。たとえば、図１６のモジュールは、図１２のメモリ１２７５に記憶され得、これらのモジュールは、モジュールの命令がプロセッサ１２７３によって実行されたとき、プロセッサ１２７３が図１５のフローチャートのそれぞれの動作を実施するように、命令を提供し得る。
【００８１】
ＣＵノード１２００の動作は、発明的概念のいくつかの実施形態による、図１５のフローチャートにおいて例示されている。上記で説明されたように、ＣＵモードプロセッサ１２７３は、たとえば、通信モジュール１６０１を使用して、ブロック１５０１において、第１のＤＵノード（ＤＵ１）とモバイル通信デバイス（ＵＥ）との間の第１の無線リンク上での、第１のＤＵノードを通した、ＣＵノードとモバイル通信デバイスとの間の通信を提供し得る。ブロック１５０３において、プロセッサ１２７３は、たとえば、利用不能メッセージモジュール１６０３を使用して、ブロック１５０３において、第１のＤＵノード（ＤＵ１）からネットワークインターフェース１２７１を通して、無線リンクが一時的に利用不能であることをＣＵノードに通知するための利用不能メッセージを受信し得る。無線リンクが一時的に利用不能であるというメッセージは、第１のＤＵノードによって送信されるべきデータの負の量についての要求をモバイル通信デバイスに指示するメッセージを含み得る。いくつかの他の実施形態によれば、第１のＤＵノード（ＤＵ１）からのメッセージは、無線リソース管理（ＲＭＭ）メッセージとして受信され得る。
【００８２】
ブロック１５０３において、第１の無線リンクが一時的に利用不能であるという利用不能メッセージを受信したことに応答して、プロセッサ１２７３は、たとえば、中断モジュール１６０５を使用して、ブロック１５０５において、第１のＤＵノードを通した、ＣＵノードとモバイル通信デバイスとの間の通信を中断し得る。その上、第１のＤＵノードを通した、ＣＵノードとモバイル通信デバイスとの間の通信を中断する間、第１の無線リンクを使用してモバイル通信デバイスをサーブするための第１のＤＵノードの設定が維持される。
【００８３】
第１のＤＵノード（ＤＵ１）を通した、ＣＵノードとモバイル通信デバイスとの間の通信を中断する間、プロセッサ１２７３は、たとえば、通信モジュール１６０７を使用して、ブロック１５０７において、第２のＤＵノード（ＤＵ２）とモバイル通信デバイスとの間の第２の無線リンク上での、第２のＤＵノードを通した、ＣＵノードとモバイル通信デバイスとの間の通信を提供し得る。第１の無線リンクを使用してモバイル通信デバイスをサーブするための第１のＤＵノード（ＤＵ１）の設定を維持することは、第１のＤＵノードを通した、ＣＵノードとモバイル通信デバイスとの間の通信を中断する間、媒体アクセス制御（ＭＡＣ）設定、無線リンク制御（ＲＬＣ）設定、レイヤ１（Ｌ１）設定、および／またはレイヤ２（Ｌ２）設定のうちの少なくとも１つを維持することを含み得る。
【００８４】
いくつかの実施形態によれば、ブロック１５０７において通信を提供することは、第１のＤＵノードに以前提供され、モバイル通信デバイスに配信されなかった、パケットデータユニット（ＰＤＵ）を識別することを含み得る。その上、プロセッサ１２７３は、以前提供されたＰＤＵを、第２のＤＵノード（ＤＵ２）とモバイル通信デバイスとの間の第２の無線リンク上でモバイル通信デバイスに送信するように第２のＤＵノード（ＤＵ２）に命令し得る。第１のＤＵノードに以前提供され、配信されなかった、ＰＤＵを識別することは、第１のＤＵノード（ＤＵ１）から、モバイル通信デバイスに配信されなかった、以前提供されたＰＤＵに関する情報を受信することを含み得る。
【００８５】
いくつかの実施形態によれば、ブロック１５０７において通信を提供することは、第２のＤＵノード（ＤＵ２）を通してモバイル通信デバイスからステータス報告を受信することを含み得、ステータス報告は、モバイル通信デバイスによって正常に受信されたパケットデータユニット（ＰＤＵ）を識別する。ステータス報告に応答して、プロセッサ１２７３は、第２のＤＵノードを通してモバイル通信デバイスに再送信されるべきである、第１のＤＵノードに以前提供されたＰＤＵを識別し得る。再送信されるべきであるＰＤＵを識別したことに応答して、プロセッサ１２７３は、第２の無線リンク上で、ネットワークインターフェース１２７１および第２のＤＵノード（ＤＵ２）を通してＰＤＵをモバイル通信デバイスに再送信し得る。
【００８６】
いくつかの実施形態によれば、ブロック１５０５において通信を中断することは、プロセッサ１２７３が、モバイル通信デバイスによって受信されなかったパケットデータユニット（ＰＤＵ）の数を決定することを含み得る。受信されなかったＰＤＵの数に応答して、プロセッサ１２７３は、無線リンクが一時的に利用不能であると決定するために使用される基準を修正するように第１のＤＵノード（ＤＵ１）に命令し得る。たとえば、プロセッサ１２７３は、受信されかったＰＤＵの数がしきい値よりも小さいことに応答して、無線リンクが一時的に利用不能であると決定するために使用されるしきい値基準を増加させるように第１のＤＵノード（ＤＵ１）に命令し得る。代替形態では、プロセッサ１２７３は、受信されかったＰＤＵの数がしきい値よりも大きいことに応答して、無線リンクが一時的に利用不能であると決定するために使用されるしきい値基準を減少させるように第１のＤＵノード（ＤＵ１）に命令し得る。
【００８７】
ブロック１５０９において、プロセッサ１２７３は、たとえば、利用可能メッセージモジュール１６０９を使用して、第１のＤＵノードから、無線リンクが利用可能であることをＣＵノードに通知するためのメッセージを受信し得る。ブロック１５０９におけるメッセージに基づいて、プロセッサは、第１の無線リンクが利用可能であると決定し得、第１のＤＵノードとモバイル通信デバイスとの間の第１の無線リンクが利用可能であると決定したことに応答して、プロセッサ１２７３は、たとえば、通信再開モジュール１６２１を使用して、ブロック１５１１において、第１の無線リンク上での、第１のＤＵノードを通した、ＣＵノードとモバイル通信デバイスとの間の通信を再開し得る。
【００８８】
図１５の様々な動作および／または図１６のモジュールは、いくつかの実施形態に関して随意であり得る。（以下に記載される）例示的な実施形態２４の方法に関して、たとえば、図１５のブロック１５０９および１５１１の動作は随意であり得、関係するＣＵノードに関して、図１６のモジュール１６０９および１６２１は随意であり得る。
【００８９】
例示的な実施形態が以下で説明される。
【００９０】
実施形態１。第１の分散ユニット（ＤＵ）ノード（１１００）を動作させる方法であって、集約ユニット（ＣＵ）ノードが、第１のＤＵノードおよび第２の分散ユニット（ＤＵ）ノードと結合され、方法は、ＤＵノードとモバイル通信デバイス（ＵＥ）との間の第１の無線リンクを使用した、第１のＤＵノードを通した、ＣＵノードとモバイル通信デバイスとの間の通信を提供することと、ＣＵノードとモバイル通信デバイスとの間の通信を提供するために、第１のＤＵノードによって使用される第１の無線リンクの状態を監視することと、監視することに基づいて、無線リンクが一時的に利用不能であると決定したことに応答して、無線リンクが一時的に利用不能であることをＣＵノードに通知するためのメッセージをＣＵノードに送信することと、メッセージを送信した後に、ＣＵノードから受信された命令に応答して、第１のＤＵノードを通した、ＣＵノードとモバイル通信デバイスとの間の通信を中断することであって、第１のＤＵノードを通した、ＣＵノードとモバイル通信デバイスとの間の通信を中断する間、第１の無線リンクを使用してモバイル通信デバイスをサーブするための第１のＤＵノードの設定が維持される、通信を中断することとを含む、方法。
【００９１】
実施形態２。第１の無線リンクを使用してモバイル通信デバイスをサーブするための第１のＤＵノードの設定を維持することが、第１のＤＵノードを通した、ＣＵノードとモバイル通信デバイスとの間の通信を中断する間、媒体アクセス制御（ＭＡＣ）設定、無線リンク制御（ＲＬＣ）設定、レイヤ１（Ｌ１）設定、および／またはレイヤ２（Ｌ２）設定のうちの少なくとも１つを維持することを含む、実施形態１に記載の方法。
【００９２】
実施形態３。監視することに基づいて、無線リンクが一時的に利用不能であると決定したことに応答して、無線リンク上でモバイル通信デバイスに送信されなかったプロトコルデータユニット（ＰＤＵ）を識別する、および／または無線リンク上でモバイル通信デバイスに送信されたＰＤＵを識別する情報をＣＵノードに送信することをさらに含む、実施形態１または２に記載の方法。
【００９３】
実施形態４。第１のＤＵノードにおいてモバイル通信デバイスから受信された確認応答メッセージに基づいて、無線リンク上でモバイル通信デバイスに送信されなかったＰＤＵを決定することをさらに含み、送信することが、無線リンク上で送信されなかったＰＤＵを識別する情報を送信することを含む、実施形態３に記載の方法。
【００９４】
実施形態５。第１のＤＵノードにおいてモバイル通信デバイスから受信された無線リンク制御（ＲＬＣ）ステータス報告に基づいて、無線リンク上でモバイル通信デバイスに送信されなかったＰＤＵを決定することをさらに含み、送信することが、無線リンク上で送信されなかったＰＤＵを識別する情報を送信することを含む、実施形態３に記載の方法。
【００９５】
実施形態６。ＰＤＵを識別する情報が、無線リンク制御（ＲＬＣ）シーケンス番号（ＳＮ）、ＲＬＣレベルセグメンテーションに関する情報、および／または第１のＤＵノードの送信バッファ中のＲＬＣパケットの数のうちの少なくとも１つを含む、実施形態３から５のいずれか１つに記載の方法。
【００９６】
実施形態７。ＰＤＵが、パケットデータコンバージェンスプロトコル（ＰＤＣＰ）ＰＤＵである、実施形態３から５のいずれか１つに記載の方法。
【００９７】
実施形態８。無線リンクが一時的に利用不能であるというメッセージを送信した後に、ＣＵノードから、モバイル通信デバイスのための無線リンク制御（ＲＬＣ）バッファをフラッシュするようにとの命令を受信することと、命令を受信したことに応答して、モバイル通信デバイスのためのＲＬＣバッファをフラッシュすることとをさらに含む、実施形態１から７のいずれか１つに記載の方法。
【００９８】
実施形態９。無線リンクが一時的に利用不能であるというメッセージが、第１のＤＵノードによって送信されるべきデータの負の量についての要求をモバイル通信デバイスに指示するメッセージを含む、実施形態１から８のいずれか１つに記載の方法。
【００９９】
実施形態１０。メッセージを送信した後に、第１のＤＵノードを通した、ＣＵノードと無線通信デバイスとの間の通信を中断する間、第１のＤＵノードとモバイル通信デバイスとの間の第１の無線リンクの状態を監視することと、第１の無線リンク上の改善された状態を検出したことに応答して、第１の無線リンクが利用可能であることをＣＵノードに通知するためのメッセージをＣＵノードに送信することとをさらに含む、実施形態１から９のいずれか１つに記載の方法。
【０１００】
実施形態１１。第１のＤＵノードを通した、ＣＵノードとモバイル通信デバイスとの間の通信を中断する間、メッセージを送信した後に、モバイル通信デバイスのための第１のＤＵノードのバッファ中のパケットデータユニット（ＰＤＵ）を維持することをさらに含み、通信を中断する間に監視することが、モバイル通信デバイスのためのバッファからのＰＤＵのうちの１つを送信することと、バッファからのＰＤＵのうちの１つを正常送信したことに応答して、第１の無線リンク上の改善された状態を検出することとを含む、実施形態１０に記載の方法。
【０１０１】
実施形態１２。第１の無線リンクが利用可能であるというメッセージを送信した後に、第１の無線リンクを使用した、第１のＤＵノードを通した、ＣＵノードとモバイル通信デバイスとの間の通信を提供することを再開することをさらに含む、実施形態１０または１１に記載の方法。
【０１０２】
実施形態１３。第１の無線リンクが利用可能であるというメッセージを送信した後に、モバイル通信デバイスに対する、部分的に受信されたパケットを廃棄するようにとの命令を、第１の無線リンク上で送信することをさらに含む、実施形態１２に記載の方法。
【０１０３】
実施形態１４。無線リンクが一時的に利用不能であると決定したことに応答して、モバイル通信デバイスのための第１のＤＵノードのバッファ中の保留中のパケットデータユニット（ＰＤＵ）を廃棄することをさらに含む、実施形態１から１０のいずれか１つに記載の方法。
【０１０４】
実施形態１５。保留中のＰＤＵを廃棄することが、ＰＤＣＰ  ＰＤＵ、ＲＬＣ  ＰＤＵ、ならびにＰＤＣＰ  ＰＤＵおよび／またはＲＬＣ  ＰＤＵを搬送するＭＡＣ  ＨＡＲＱプロセスのうちの少なくとも１つを廃棄することを含む、実施形態１４に記載の方法。
【０１０５】
実施形態１６。ＣＵノードおよび第１のＤＵノードが、ｇノードＢ（ｇＮＢ）のノードである、実施形態１から１５のいずれか１つに記載の方法。
【０１０６】
実施形態１７。第２のＤＵノードがｇノードＢのノードである、実施形態１６に記載の方法。
【０１０７】
実施形態１８。無線リンクの状態を監視することが、モバイル通信デバイスから受信された測定報告、モバイル通信デバイスから受信されたチャネル品質情報（ＣＱＩ）フィードバック、モバイル通信デバイスから受信された信号に基づくアップリンク（ＵＬ）測定、ＨＡＲＱ  ＡＣＫ／ＮＡＣＫ比、およびモバイル通信デバイスから受信された無線リンク制御（ＲＬＣ）ステータス報告のうちの少なくとも１つに基づいて状態を監視することを含む、実施形態１から１７のいずれか１つに記載の方法。
【０１０８】
実施形態１９。無線リンクが一時的に利用不能であると決定することは、モバイル通信デバイスから受信された測定報告、モバイル通信デバイスから受信されたチャネル品質情報（ＣＱＩ）フィードバック、モバイル通信デバイスから受信された信号に基づくアップリンク（ＵＬ）測定、ＨＡＲＱ  ＡＣＫ／ＮＡＣＫ比、およびモバイル通信デバイスから受信された無線リンク制御（ＲＬＣ）ステータス報告のうちの少なくとも１つの傾向に基づいて、無線リンクが一時的に利用不能であると決定することを含む、実施形態１から１８のいずれか１つに記載の方法。
【０１０９】
実施形態２０。メッセージをＣＵノードに送信することが、無線リソース管理（ＲＭＭ）メッセージとしてメッセージを送信することを含む、実施形態１から１９のいずれか１つに記載の方法。
【０１１０】
実施形態２１。ＣＵノードからの命令に応答して、無線リンクが一時的に利用不能であると決定するために使用される基準を修正することをさらに含む、実施形態１から２０のいずれか１つに記載の方法。
【０１１１】
実施形態２２。無線アクセスネットワークの第１の分散ユニット（ＤＵ）ノード（１１００）であって、第１のＤＵノードが、ネットワーク上で通信を提供するように設定されたネットワークインターフェース（１１０５）と、無線インターフェースを介して無線通信を提供するように設定されたトランシーバ（１１０１）と、ネットワークインターフェースおよびトランシーバと結合されたプロセッサ（１１０３）とを備え、プロセッサが、ネットワークインターフェースを通した、集約ユニット（ＣＵ）ノードとの通信を提供するように設定され、プロセッサが、トランシーバを通した、モバイル通信デバイスとの通信を提供するように設定され、プロセッサが、実施形態１から２１のいずれか１つに記載の動作を実施するように設定された、第１の分散ユニット（ＤＵ）ノード（１１００）。
【０１１２】
実施形態２３。第１の分散ユニット（ＤＵ）ノード（１１００）であって、実施形態１から２１のいずれか１つに従って実施するように適応された、第１の分散ユニット（ＤＵ）ノード（１１００）。
【０１１３】
実施形態２４。第１の分散ユニット（ＤＵ）ノードおよび第２の分散ユニット（ＤＵ）ノードと結合された集約ユニット（ＣＵ）ノード（１２００）を動作させる方法であって、方法は、第１のＤＵノードとモバイル通信デバイス（ＵＥ）との間の第１の無線リンク上での、第１のＤＵノードを通した、ＣＵノードとモバイル通信デバイスとの間の通信を提供することと、ＣＵノードにおいて、第１のＤＵノードから、無線リンクが一時的に利用不能であることをＣＵノードに通知するためのメッセージを受信することと、第１の無線リンクが一時的に利用不能であるというメッセージを受信したことに応答して、第１のＤＵノードを通した、ＣＵノードとモバイル通信デバイスとの間の通信を中断することであって、第１のＤＵノードを通した、ＣＵノードとモバイル通信デバイスとの間の通信を中断する間、第１の無線リンクを使用してモバイル通信デバイスをサーブするための第１のＤＵノードの設定が維持される、通信を中断することと、第１のＤＵノードを通した、ＣＵノードとモバイル通信デバイスとの間の通信を中断する間、第２のＤＵノードとモバイル通信デバイスとの間の第２の無線リンク上での、第２のＤＵノードを通した、ＣＵノードとモバイル通信デバイスとの間の通信を提供することとを含む、方法。
【０１１４】
実施形態２５。第１の無線リンクを使用してモバイル通信デバイスをサーブするための第１のＤＵノードの設定を維持することが、第１のＤＵノードを通した、ＣＵノードとモバイル通信デバイスとの間の通信を中断する間、媒体アクセス制御（ＭＡＣ）設定、無線リンク制御（ＲＬＣ）設定、レイヤ１（Ｌ１）設定、および／またはレイヤ２（Ｌ２）設定のうちの少なくとも１つを維持することを含む、実施形態２４に記載の方法。
【０１１５】
実施形態２６。メッセージを受信したことに応答して、第１のＤＵノードに以前提供され、モバイル通信デバイスに配信されなかった、パケットデータユニット（ＰＤＵ）を識別することと、メッセージを受信したことに応答して、以前提供されたＰＤＵを、第２のＤＵノードとモバイル通信デバイスとの間の第２の無線リンク上でモバイル通信デバイスに送信するように第２のＤＵノードに命令することとをさらに含む、実施形態２４から２５のいずれか１つに記載の方法。
【０１１６】
実施形態２７。第１のＤＵノードに以前提供され、配信されなかった、ＰＤＵを識別することが、第１のＤＵノードから、モバイル通信デバイスに配信されなかった、以前提供されたＰＤＵに関する情報を受信することを含む、実施形態２６に記載の方法。
【０１１７】
実施形態２８。無線リンクが一時的に利用不能であるというメッセージが、第１のＤＵノードによって送信されるべきデータの負の量についての要求をモバイル通信デバイスに指示するメッセージを含む、実施形態２４から２７のいずれか１つに記載の方法。
【０１１８】
実施形態２９。第２のＤＵノードを通してモバイル通信デバイスからステータス報告を受信することであって、ステータス報告が、モバイル通信デバイスによって正常に受信されたパケットデータユニット（ＰＤＵ）を識別する、ステータス報告を受信することと、ステータス報告に応答して、第２のＤＵノードを通してモバイル通信デバイスに再送信されるべきである、第１のＤＵノードに以前提供されたＰＤＵを識別することと、再送信されるべきであるＰＤＵを識別したことに応答して、第２の無線リンク上で、第２のＤＵノードを通してＰＤＵをモバイル通信デバイスに再送信することとをさらに含む、実施形態２４または２５に記載の方法。
【０１１９】
実施形態３０。メッセージを受信したことに応答して、モバイル通信デバイスによって受信されなかったパケットデータユニット（ＰＤＵ）の数を決定することと、受信されなかったＰＤＵの数に応答して、無線リンクが一時的に利用不能であると決定するために使用される基準を修正するように第１のＤＵノードに命令することとをさらに含む、実施形態２４から２９のいずれか１つに記載の方法。
【０１２０】
実施形態３１。命令することは、受信されかったＰＤＵの数がしきい値よりも小さいことに応答して、無線リンクが一時的に利用不能であると決定するために使用されるしきい値基準を増加させるように第１のＤＵノードに命令することを含む、実施形態３０に記載の方法。
【０１２１】
実施形態３２。命令することは、受信されかったＰＤＵの数がしきい値よりも大きいことに応答して、無線リンクが一時的に利用不能であると決定するために使用されるしきい値基準を減少させるように第１のＤＵノードに命令することを含む、実施形態３０に記載の方法。
【０１２２】
実施形態３３。ＣＵノードおよび第１のＤＵノードが、ｇノードＢ（ｇＮＢ）のノードである、実施形態２４から３２のいずれか１つに記載の方法。
【０１２３】
実施形態３４。第２のＤＵノードがｇノードＢのノードである、実施形態３３に記載の方法。
【０１２４】
実施形態３５。第１のＤＵノードからメッセージを受信することが、無線リソース管理（ＲＭＭ）メッセージとしてメッセージを受信することを含む、実施形態２４から３４のいずれか１つに記載の方法。
【０１２５】
実施形態３６。第１のＤＵノードを通した通信を中断した後に、第１のＤＵノードとモバイル通信デバイスとの間の第１の無線リンクが利用可能であると決定したことに応答して、第１の無線リンク上での、第１のＤＵノードを通した、ＣＵノードとモバイル通信デバイスとの間の通信を再開することをさらに含む、実施形態２４から３５のいずれか１つに記載の方法。
【０１２６】
実施形態３７。ＣＵノードにおいて、第１のＤＵノードから、無線リンクが利用可能であることをＣＵノードに通知するためのメッセージを受信することをさらに含み、第１の無線リンクが利用可能であると決定することは、無線リンクが利用可能であるというメッセージに応答して、第１の無線リンクが利用可能であると決定することを含む、実施形態３６に記載の方法。
【０１２７】
実施形態３８。無線アクセスネットワークの集約ユニット（ＣＵ）ノード（１２００）であって、ＣＵノードが、ネットワーク上で通信を提供するように設定されたネットワークインターフェース（１２７１）と、ネットワークインターフェースと結合されたプロセッサ（１２７３）とを備え、プロセッサが、ネットワークインターフェースを通した、第１の分散ユニット（ＤＵ）ノードおよび第２の分散ユニット（ＤＵ）ノードとの通信を提供するように設定され、プロセッサが、実施形態２４から３７のいずれか１つに記載の動作を実施するように設定された、集約ユニット（ＣＵ）ノード（１２００）。
【０１２８】
実施形態３９。集約ユニット（ＣＵ）ノード（１２００）であって、実施形態２４から３７のいずれか１つに従って実施するように適応された、集約ユニット（ＣＵ）ノード（１２００）。
【０１２９】
実施形態４０。無線アクセスネットワークの第１の分散ユニット（ＤＵ）ノード（１１００）であって、集約ユニット（ＣＵ）ノードが、第１のＤＵノードおよび第２の分散ユニット（ＤＵ）ノードと結合され、第１のＤＵノードは、ネットワーク上で通信を提供するように設定されたネットワークインターフェース（１１０５）と、無線インターフェースを介して無線通信を提供するように設定されたトランシーバ（１１０１）と、ネットワークインターフェースおよびトランシーバと結合されたプロセッサ（１１０３）とを備え、プロセッサが、ネットワークインターフェースを通した、集約ユニット（ＣＵ）ノードとの通信を提供するように設定され、プロセッサが、トランシーバを通した、モバイル通信デバイスとの通信を提供するように設定され、プロセッサは、ＤＵノードとモバイル通信デバイス（ＵＥ）との間の第１の無線リンクを使用した、第１のＤＵノードを通した、ＣＵノードとモバイル通信デバイスとの間の通信を提供することと、ＣＵノードとモバイル通信デバイスとの間の通信を提供するために、第１のＤＵノードによって使用される第１の無線リンクの状態を監視することと、監視することに基づいて、無線リンクが一時的に利用不能であると決定したことに応答して、無線リンクが一時的に利用不能であることをＣＵノードに通知するためのメッセージをＣＵノードに送信することと、メッセージを送信した後に、ＣＵノードから受信された命令に応答して、第１のＤＵノードを通した、ＣＵノードとモバイル通信デバイスとの間の通信を中断することであって、第１のＤＵノードを通した、ＣＵノードとモバイル通信デバイスとの間の通信を中断する間、第１の無線リンクを使用してモバイル通信デバイスをサーブするための第１のＤＵノードの設定が維持される、通信を中断することとを行うように設定された、第１の分散ユニット（ＤＵ）ノード（１１００）。
【０１３０】
実施形態４１。第１の分散ユニット（ＤＵ）ノード（１１００）であって、集約ユニット（ＣＵ）ノードが、第１のＤＵノードおよび第２の分散ユニット（ＤＵ）と結合され、第１のＤＵノードは、ＤＵノードとモバイル通信デバイス（ＵＥ）との間の第１の無線リンクを使用した、第１のＤＵノードを通した、ＣＵノードとモバイル通信デバイスとの間の通信を提供することと、ＣＵノードとモバイル通信デバイスとの間の通信を提供するために、第１のＤＵノードによって使用される第１の無線リンクの状態を監視することと、監視することに基づいて、無線リンクが一時的に利用不能であると決定したことに応答して、無線リンクが一時的に利用不能であることをＣＵノードに通知するためのメッセージをＣＵノードに送信することと、メッセージを送信した後に、ＣＵノードから受信された命令に応答して、第１のＤＵノードを通した、ＣＵノードとモバイル通信デバイスとの間の通信を中断することであって、第１のＤＵノードを通した、ＣＵノードとモバイル通信デバイスとの間の通信を中断する間、第１の無線リンクを使用してモバイル通信デバイスをサーブするための第１のＤＵノードの設定が維持される、通信を中断することとを行うように適応された、第１の分散ユニット（ＤＵ）ノード（１１００）。
【０１３１】
実施形態４２。第１の分散ユニット（ＤＵ）ノード（１１００）であって、集約ユニット（ＣＵ）ノードが、第１のＤＵノードおよび第２の分散ユニット（ＤＵ）ノードと結合され、第１のＤＵノードは、ＤＵノードとモバイル通信デバイス（ＵＥ）との間の第１の無線リンクを使用した、第１のＤＵノードを通した、ＣＵノードとモバイル通信デバイスとの間の通信を提供することと、ＣＵノードとモバイル通信デバイスとの間の通信を提供するために、第１のＤＵノードによって使用される第１の無線リンクの状態を監視することと、監視することに基づいて、無線リンクが一時的に利用不能であると決定したことに応答して、無線リンクが一時的に利用不能であることをＣＵノードに通知するためのメッセージをＣＵノードに送信することと、メッセージを送信した後に、ＣＵノードから受信された命令に応答して、第１のＤＵノードを通した、ＣＵノードとモバイル通信デバイスとの間の通信を中断することであって、第１のＤＵノードを通した、ＣＵノードとモバイル通信デバイスとの間の通信を中断する間、第１の無線リンクを使用してモバイル通信デバイスをサーブするための第１のＤＵノードの設定が維持される、通信を中断することとを含む、第１の分散ユニット（ＤＵ）ノード（１１００）。
【０１３２】
実施形態４３。無線アクセスネットワークの集約ユニット（ＣＵ）ノード（１２００）であって、ＣＵノードが、第１の分散ユニット（ＤＵ）ノードおよび第２の分散ユニット（ＤＵ）ノードと結合され、ＣＵノードが、ネットワーク上で通信を提供するように設定されたネットワークインターフェース（１２７１）と、ネットワークインターフェースと結合されたプロセッサ（１２７３）とを備え、プロセッサが、ネットワークインターフェースを通した、第１のＤＵノードおよび第２のＤＵノードとの通信を提供するように設定され、プロセッサは、第１のＤＵノードとモバイル通信デバイス（ＵＥ）との間の第１の無線リンク上での、第１のＤＵノードを通した、ＣＵノードとモバイル通信デバイスとの間の通信を提供することと、ＣＵノードにおいて、第１のＤＵノードから、無線リンクが一時的に利用不能であることをＣＵノードに通知するためのメッセージを受信することと、第１の無線リンクが一時的に利用不能であるというメッセージを受信したことに応答して、第１のＤＵノードを通した、ＣＵノードとモバイル通信デバイスとの間の通信を中断することであって、第１のＤＵノードを通した、ＣＵノードとモバイル通信デバイスとの間の通信を中断する間、第１の無線リンクを使用してモバイル通信デバイスをサーブするための第１のＤＵノードの設定が維持される、通信を中断することと、第１のＤＵノードを通した、ＣＵノードとモバイル通信デバイスとの間の通信を中断する間、第２のＤＵノードとモバイル通信デバイスとの間の第２の無線リンク上での、第２のＤＵノードを通した、ＣＵノードとモバイル通信デバイスとの間の通信を提供することとを行うように設定された、集約ユニット（ＣＵ）ノード（１２００）。
【０１３３】
実施形態４４。第１の分散ユニット（ＤＵ）ノードおよび第２の分散ユニット（ＤＵ）ノードと結合された集約ユニット（ＣＵ）ノード（１２００）であって、ＣＵノードは、第１のＤＵノードとモバイル通信デバイス（ＵＥ）との間の第１の無線リンク上での、第１のＤＵノードを通した、ＣＵノードとモバイル通信デバイスとの間の通信を提供することと、ＣＵノードにおいて、第１のＤＵノードから、無線リンクが一時的に利用不能であることをＣＵノードに通知するためのメッセージを受信することと、第１の無線リンクが一時的に利用不能であるというメッセージを受信したことに応答して、第１のＤＵノードを通した、ＣＵノードとモバイル通信デバイスとの間の通信を中断することであって、第１のＤＵノードを通した、ＣＵノードとモバイル通信デバイスとの間の通信を中断する間、第１の無線リンクを使用してモバイル通信デバイスをサーブするための第１のＤＵノードの設定が維持される、通信を中断することと、第１のＤＵノードを通した、ＣＵノードとモバイル通信デバイスとの間の通信を中断する間、第２のＤＵノードとモバイル通信デバイスとの間の第２の無線リンク上での、第２のＤＵノードを通した、ＣＵノードとモバイル通信デバイスとの間の通信を提供することとを行うように適応された、集約ユニット（ＣＵ）ノード（１２００）。
【０１３４】
実施形態４５。第１の分散ユニット（ＤＵ）ノードおよび第２の分散ユニット（ＤＵ）ノードと結合された集約ユニット（ＣＵ）ノードであって、ＣＵノードは、第１のＤＵノードとモバイル通信デバイス（ＵＥ）との間の第１の無線リンク上での、第１のＤＵノードを通した、ＣＵノードとモバイル通信デバイスとの間の通信を提供するように設定された、第１の通信モジュールと、ＣＵノードにおいて、第１のＤＵノードから、無線リンクが一時的に利用不能であることをＣＵノードに通知するためのメッセージを受信するように設定された、利用不能メッセージモジュールと、第１の無線リンクが一時的に利用不能であるというメッセージを受信したことに応答して、第１のＤＵノードを通した、ＣＵノードとモバイル通信デバイスとの間の通信を中断することであって、第１のＤＵノードを通した、ＣＵノードとモバイル通信デバイスとの間の通信を中断する間、第１の無線リンクを使用してモバイル通信デバイスをサーブするための第１のＤＵノードの設定が維持される、通信を中断するように設定された、中断モジュールと、第１のＤＵノードを通した、ＣＵノードとモバイル通信デバイスとの間の通信を中断する間、第２のＤＵノードとモバイル通信デバイスとの間の第２の無線リンク上での、第２のＤＵノードを通した、ＣＵノードとモバイル通信デバイスとの間の通信を提供するように設定された、第２の通信モジュールとを備える、集約ユニット（ＣＵ）ノード。
【０１３５】
さらなる規定および実施形態が以下で説明される。
【０１３６】
本発明的概念の様々な実施形態の上記の説明では、本明細書で使用される専門用語は、具体的な実施形態を説明するためのものにすぎず、本発明的概念を限定するものではないことを理解されたい。別段に規定されていない限り、本明細書で使用される（技術用語および科学用語を含む）すべての用語は、本発明的概念が属する技術の当業者によって通常理解されるものと同じ意味を有する。通常使用される辞書において規定される用語など、用語は、本明細書および関連技術の文脈におけるそれらの用語の意味に従う意味を有するものとして解釈されるべきであり、明確にそのように本明細書で規定されない限り、理想的なまたは過度に形式的な意味において解釈されないことをさらに理解されよう。
【０１３７】
要素が、別の要素に「接続された」、「結合された」、「応答する」、またはそれらの変形態であると呼ばれるとき、その要素は、他の要素に直接、接続され、結合され、または応答し得、あるいは介在する要素が存在し得る。対照的に、要素が、別の要素に「直接接続された」、「直接結合された」、「直接応答する」、またはそれらの変形態であると呼ばれるとき、存在する介在する要素が存在しない。同様の番号は、全体を通して同様の要素を指す。さらに、本明細書で使用される、「結合された」、「接続された」、「応答する」、またはそれらの変形態は、無線で結合された、無線で接続された、または無線で応答する、を含み得る。本明細書で使用される単数形「ａ」、「ａｎ」および「ｔｈｅ」は、文脈が別段に明確に示すのでなければ、複数形をも含むものとする。簡潔および／または明快のために、よく知られている機能または構成が詳細に説明されないことがある。また、「および／または」という用語は、関連する列挙された項目のうちの１つまたは複数の任意のまたは全部の組合せを含む。
【０１３８】
様々な要素／動作を説明するために、第１の、第２の、第３の、などの用語が本明細書で使用され得るが、これらの要素／動作は、これらの用語によって限定されるべきでないことを理解されよう。これらの用語は、ある要素／動作を別の要素／動作から区別するために使用されるにすぎない。したがって、本発明的概念の教示から逸脱することなしに、いくつかの実施形態における第１の要素／動作が、他の実施形態において第２の要素／動作と呼ばれることがある。同じ参照番号または同じ参照符号は、本明細書全体にわたって同じまたは同様の要素を示す。
【０１３９】
本明細書で使用される、「備える、含む（ｃｏｍｐｒｉｓｅ）」、「備える、含む（ｃｏｍｐｒｉｓｉｎｇ）」、「備える、含む（ｃｏｍｐｒｉｓｅｓ）」、「含む（ｉｎｃｌｕｄｅ）」、「含む（ｉｎｃｌｕｄｉｎｇ）」、「含む（ｉｎｃｌｕｄｅｓ）」、「有する（ｈａｖｅ）」、「有する（ｈａｓ）」、「有する（ｈａｖｉｎｇ）」という用語、またはそれらの変形態は、オープンエンドであり、１つまたは複数の述べられた特徴、整数、要素、ステップ、構成要素または機能を含むが、１つまたは複数の他の特徴、整数、要素、ステップ、構成要素、機能またはそれらのグループの存在または追加を排除しない。さらに、本明細書で使用される、「たとえば（ｅｘｅｍｐｌｉ  ｇｒａｔｉａ）」というラテン語句に由来する「たとえば（ｅ．ｇ．）」という通例の略語は、前述の項目の一般的な１つまたは複数の例を紹介するかまたは具体的に挙げるために使用され得、そのような項目を限定するものではない。「すなわち（ｉｄ  ｅｓｔ）」というラテン語句に由来する「すなわち（ｉ．ｅ．）」という通例の略語は、より一般的な具陳から特定の項目を具体的に挙げるために使用され得る。
【０１４０】
例示的な実施形態が、コンピュータ実装方法、装置（システムおよび／またはデバイス）および／またはコンピュータプログラム製品のブロック図および／またはフローチャート例示を参照しながら本明細書で説明された。ブロック図および／またはフローチャート例示のブロック、ならびにブロック図および／またはフローチャート例示中のブロックの組合せが、１つまたは複数のコンピュータ回路によって実施されるコンピュータプログラム命令によって実装され得ることを理解されたい。これらのコンピュータプログラム命令は、汎用コンピュータ回路、専用コンピュータ回路、および／またはマシンを製造するための他のプログラマブルデータ処理回路のプロセッサ回路に与えられ得、したがって、コンピュータおよび／または他のプログラマブルデータ処理装置のプロセッサを介して実行される命令は、ブロック図および／またはフローチャートの１つまたは複数のブロックにおいて指定された機能／行為を実装するために、およびそれにより、ブロック図および／またはフローチャートの（１つまたは複数の）ブロックにおいて指定された機能／行為を実装するための手段（機能性）および／または構造を作成するために、トランジスタ、メモリロケーションに記憶された値、およびそのような回路要素内の他のハードウェア構成要素を変換および制御する。
【０１４１】
これらのコンピュータプログラム命令はまた、コンピュータまたは他のプログラマブルデータ処理装置に特定の様式で機能するように指示することができる、有形コンピュータ可読媒体に記憶され得、したがって、コンピュータ可読媒体に記憶された命令は、ブロック図および／またはフローチャートの１つまたは複数のブロックにおいて指定された機能／行為を実装する命令を含む製造品を生成する。したがって、本発明的概念の実施形態は、ハードウェアで、および／または「回路要素」、「モジュール」またはそれらの変形態と総称して呼ばれることがある、デジタル信号プロセッサなどのプロセッサ上で動作する（ファームウェア、常駐ソフトウェア、マイクロコードなどを含む）ソフトウェアで具現され得る。
【０１４２】
いくつかの代替実装形態では、ブロック中で言及される機能／行為は、フローチャート中で言及される順序から外れて行われ得ることに留意されたい。たとえば、関与する機能性／行為に応じて、連続して示されている２つのブロックが、事実上、実質的にコンカレントに実行され得るか、またはブロックが、時々、逆の順序で実行され得る。その上、フローチャートおよび／またはブロック図の所与のブロックの機能性が、複数のブロックに分離され得、ならびに／あるいはフローチャートおよび／またはブロック図の２つまたはそれ以上のブロックの機能性が、少なくとも部分的に統合され得る。最後に、他のブロックが、例示されているブロック間に追加／挿入され得、および／または発明的概念の範囲から逸脱することなく、ブロック／動作が省略され得る。その上、図のうちのいくつかが、通信の主要な方向を示すために通信経路上に矢印を含むが、通信が、図示された矢印と反対方向に行われ得ることを理解されたい。
【０１４３】
本発明的概念の原理から実質的に逸脱することなしに、実施形態に対して多くの変形および修正が行われ得る。すべてのそのような変形および修正は、本発明的概念の範囲内で本明細書に含まれるものとする。したがって、上記で開示された主題は、例示であり、限定するものではないと見なされるべきであり、実施形態の例は、本発明的概念の趣旨および範囲内に入る、すべてのそのような修正、拡張、および他の実施形態を包含するものとする。したがって、法によって最大限に許容される限りにおいて、本発明的概念の範囲は、実施形態およびそれらの等価物の例を含む、本開示の最も広い許容可能な解釈によって決定されるべきであり、上記の詳細な説明によって制限または限定されるべきでない。
【図１】
0006875545.tif 000002
【図２】
0006875545.tif 000003
【図３】
0006875545.tif 000004
【図４】
0006875545.tif 000005
【図５】
0006875545.tif 000006
【図６】
0006875545.tif 000007
【図７】
0006875545.tif 000008
【図８】
0006875545.tif 000009
【図９】
0006875545.tif 000010
【図１０Ａ】
0006875545.tif 000011
【図１０Ｂ】
0006875545.tif 000012
【図１１】
0006875545.tif 000013
【図１２】
0006875545.tif 000014
【図１３】
0006875545.tif 000015
【図１４】
0006875545.tif 000016
【図１５】
0006875545.tif 000017
【図１６】
0006875545.tif 000018